(57)【要約】  ネットワークへの接続機能を有するが、ネットワークに接続されていない端末装置に対して、ネットワークへの接続を強制することができる端末装置を提供する。ネットワークに接続する接続機能を有する端末装置１０１ａは、端末装置１０１ａがネットワークに接続しているか否かを確認する接続確認部１０９ａと、ネットワークに接続されていないことが確認された場合に、端末装置１０１ａが有する一の機能を無効化する無効化部１１５ａとを備える。
2014038170.tif 000002
【特許請求の範囲】
【請求項１】
ネットワークへの接続機能を有する端末装置であって、
当該端末装置がネットワークに接続しているか否かを確認する接続確認手段と、
ネットワークに接続されていないことが確認された場合に、当該端末装置が有する機能を無効化する無効化手段と
を備えることを特徴とする端末装置。
【請求項２】
前記無効化手段は、ネットワークに接続されていないことが確認された場合に、当該端末装置に対する電力の供給を停止するよう制御する
ことを特徴とする請求項１に記載の端末装置。
【請求項３】
前記端末装置は、さらに、利用者の操作指示を受け付ける受付手段を含み、
前記操作指示が電源オンの操作を示す場合、当該端末装置に電力が供給された直後に、前記接続確認手段は、前記確認を行う
ことを特徴とする請求項２に記載の端末装置。
【請求項４】
前記端末装置は、放送波受信装置であって、
放送波を受信する受信手段と、
放送波から番組を抽出する抽出手段と、
抽出した番組を再生する再生手段とを含み、
前記接続確認手段による確認の間、前記受信手段により、放送波を受信し、前記抽出手段により、放送波から番組を抽出し、前記再生手段により、抽出した番組を再生する
ことを特徴とする請求項２に記載の端末装置。
【請求項５】
前記受信手段は、自然災害の状況を示す自然災害情報を含む放送波を受信し、
前記抽出手段は、放送波から前記自然災害情報を抽出し、
抽出された前記自然災害情報により示される状況が予め定められた条件を満たさない場合に、前記無効化手段は、抽出した前記自然災害情報を再生する前記再生手段を無効化する
ことを特徴とする請求項４に記載の端末装置。
【請求項６】
前記端末装置は、さらに、ネットワークに接続されていないことが確認された場合に、当該端末装置がネットワークに接続されていないことを表す特殊映像又は警告文を再生する再生手段を含み、
前記無効化手段は、前記再生手段により前記特殊映像又は前記警告文が再生された後、前記機能を無効化する
ことを特徴とする請求項２に記載の端末装置。
【請求項７】
前記端末装置は、さらに、
ネットワークに接続されていないことが確認された場合に、当該端末装置をネットワークに接続するための設定を行うか否かを利用者に問うメッセージを再生する再生手段と、
利用者の操作指示を受け付ける受付手段とを含み、
前記無効化手段は、受け付けた前記操作指示が、ネットワークに接続するための設定を行わないことを示す場合、前記機能を無効化する
ことを特徴とする請求項２に記載の端末装置。
【請求項８】
前記端末装置は、さらに、
前記接続確認手段により過去になされた複数回のネットワークへの接続確認について、それぞれ、当該端末装置がネットワークに接続されていたか否かを示す接続情報を記憶している記憶手段を含み、
全ての前記接続情報のうち、接続されていたことを示す接続情報の比率が予め定められた条件を満たさない場合に、前記無効化手段は、前記機能を無効化する
ことを特徴とする請求項２に記載の端末装置。
【請求項９】
前記端末装置は、さらに、機能の無効化を免除するか否かを示す許可情報を取得する取得手段を含み、
取得した前記許可情報が機能の無効化の免除を示さない場合、前記無効化手段は、前記機能を無効化する
ことを特徴とする請求項２に記載の端末装置。
【請求項１０】
前記端末装置は、制御プログラムを記憶しているメモリ手段と前記制御プログラムを実行するプロセッサとを含むコンピュータシステムであり、
前記端末装置は、さらに、許可情報を取得する取得手段と、
メッセージを再生する再生手段と、
利用者の操作指示を受け付ける受付手段とを含み、
前記許可情報は、前記制御プログラムを更新するための更新プログラムを含み、当該更新プログラムによる前記制御プログラムの更新がされることを条件として、機能の無効化を免除することを示し、
前記再生手段は、ネットワークに接続されていないことが確認された場合に、更新プログラムを用いて前記制御プログラムの更新を行うか否かを利用者に問う前記メッセージを再生し、
取得した前記許可情報が機能の無効化の免除を示し、前記操作指示が前記制御プログラムの更新をしないことを示す場合、前記無効化手段は、前記機能を無効化する
ことを特徴とする請求項２に記載の端末装置。
【請求項１１】
ネットワークへの接続機能を有する端末装置において用いられる制御方法であって、
当該端末装置がネットワークに接続しているか否かを確認する接続確認ステップと、
ネットワークに接続されていないことが確認された場合に、当該端末装置が有する機能を無効化する無効化ステップと
を含むことを特徴とする制御方法。
【請求項１２】
ネットワークへの接続機能を有する端末装置において用いられる制御用のコンピュータプログラムを記録しているコンピュータ読み取り可能な記録媒体であって、
コンピュータである前記端末装置に、
当該端末装置がネットワークに接続しているか否かを確認する接続確認ステップと、
ネットワークに接続されていないことが確認された場合に、当該端末装置が有する機能を無効化する無効化ステップと
を実行させるためのコンピュータプログラムを記録している記録媒体。
【発明の詳細な説明】
【技術分野】
【０００１】
本発明は、ネットワーク接続機能を備えているが、ネットワーク接続されていない端末装置に対して、ネットワーク接続を強制する技術に関する。
【背景技術】
【０００２】
ネットワーク接続機能等を備え、ネットワークを介して、外部のサーバ装置に接続し、サーバ装置との間で情報を送受信することができる端末装置が普及している。【０００３】
このような端末装置は、一般的にプロセッサ及びメモリを備えるコンピュータシステムである。メモリに記憶されているコンピュータプログラムに従って、プロセッサが動作することにより、端末装置は、その機能を果たす。【０００４】
このような端末装置の出荷後に、当該コンピュータプログラムの不具合が発見されることがある。このような場合、サーバ装置から更新プログラムをダウンロードすれば、不具合を解消することができる。また、端末装置の出荷後に、新たな機能（新たなコンピュータプログラム）が開発されることがある。このような場合、サーバ装置から新たなプログラムをダウンロードすれば、端末装置に新たな機能を追加することができる。また、サーバ装置が、ネットワークを介して、端末装置を検査することにより、端末装置の故障を早期に発見することもできる。【０００５】
このように、端末装置がネットワークを介して、サーバ装置に接続できれば、利用者は、様々な恩恵を受けることができる。【０００６】
特許文献１によると、ネットワークに接続するための通信ケーブルの抜けや、不適切なネットワーク設定により、ネットワークへの接続が正常に行われないことがある。このような場合には、ネットワーク障害に関連するエラー画面が表示部に表示される。これにより、利用者は、エラーの内容を知ることができる。
【先行技術文献】
【特許文献】
【０００７】
【特許文献１】日本国特許第４７０４４５２号公報
【発明の概要】
【発明が解決しようとする課題】
【０００８】
しかしながら、特許文献１により開示されているエラー画面の表示だけでは、利用者に対して、端末装置のネットワークへの接続を強制できない。この結果、利用者は、コンピュータプログラムを更新できない又は新たな機能を追加できないなどの不利益を被ることになる。【０００９】
本発明は、このような課題を解決するため、ネットワークへの接続機能を有するが、ネットワークに接続されていない端末装置に対して、ネットワークへの接続を強制することができる端末装置、制御方法及び記録媒体を提供することを目的とする。
【課題を解決するための手段】
【００１０】
このような目的を達成するために、本発明の一態様は、ネットワークへの接続機能を有する端末装置であって、当該端末装置がネットワークに接続しているか否かを確認する接続確認手段と、ネットワークに接続されていないことが確認された場合に、当該端末装置が有する機能を無効化する無効化手段とを備えることを特徴とする。
【発明の効果】
【００１１】
この態様によると、端末装置がネットワークに接続されていないことが確認された場合に、当該端末装置が有する機能が無効化される。このため、利用者は、当該機能を利用できず、当該端末装置は、利用者に対して当該端末装置がネットワークに接続されていないことを強くアピールできる。当該端末装置の機能を利用者が利用するためには、当該端末装置をネットワークに接続しなければならず、この結果、利用者に対して、当該端末装置のネットワーク接続を強制できるという効果を奏する。
【図面の簡単な説明】
【００１２】
【図１】本発明に係る実施の形態２としてのコンテンツ送受信システム１０の構成を示す図である。
【図２】サーバ装置２００の構成を示すブロック図である。
【図３】テレビ受像機１００の構成を示すブロック図である。
【図４】接続先テーブル１３１のデータ構造の一例を示す。
【図５】テレビ受像機１００における動作を示すフローチャートである。
【図６】変形例（１）のテレビ受像機１００における動作を示すフローチャートである。
【図７】変形例（２）のテレビ受像機１００における動作を示すフローチャートである。
【図８】変形例（３）のテレビ受像機１００に表示される警告文１４１を示す。
【図９】変形例（３）のテレビ受像機１００における動作を示すフローチャートである。
【図１０】変形例（４）のテレビ受像機１００に表示される警告文１５１を示す。
【図１１】変形例（４）のテレビ受像機１００における動作を示すフローチャートである。
【図１２】変形例（５）のネットワーク接続状況テーブル１６１のデータ構造の一例を示す。
【図１３】変形例（５）のテレビ受像機１００における動作を示すフローチャートである。
【図１４】変形例（６）のテレビ受像機１００における動作を示すフローチャートである。
【図１５】変形例（７）の許可情報１８１のデータ構造の一例を示す。
【図１６】変形例（７）のテレビ受像機１００における動作を示すフローチャートである。
【図１７】変形例（８）の許可情報１９１のデータ構造の一例を示す。
【図１８】変形例（８）のテレビ受像機１００における動作を示すフローチャートである。
【図１９】その他の変形例としてのテレビ受像機１００における動作を示すフローチャートである。
【図２０】本発明に係る実施の形態１としての端末装置１００ａの構成を示す図である。
【図２１】端末装置１００ａにおける動作を示すフローチャートである。
【発明を実施するための形態】
【００１３】
本発明の一の実施態様は、ネットワークへの接続機能を有する端末装置であって、当該端末装置がネットワークに接続しているか否かを確認する接続確認手段と、ネットワークに接続されていないことが確認された場合に、当該端末装置が有する機能を無効化する無効化手段とを備えることを特徴とする。
【００１４】
この態様によると、端末装置がネットワークに接続されていないことが確認された場合に、当該端末装置が有する機能が無効化される。このため、利用者は、当該機能を利用できず、当該端末装置は、利用者に対して当該端末装置がネットワークに接続されていないことを強くアピールできる。当該端末装置の機能を利用者が利用するためには、当該端末装置をネットワークに接続しなければならず、この結果、利用者に対して、当該端末装置のネットワーク接続を強制できるという効果を奏する。
【００１５】
ここで、前記無効化手段は、ネットワークに接続されていないことが確認された場合に、当該端末装置に対する電力の供給を停止するよう制御してもよい。
【００１６】
この構成によると、端末装置がネットワークに接続されていないことが確認された場合に、当該端末装置に対する電力の供給が停止される。このため、利用者は、当該端末装置を利用できず、当該端末装置は、利用者に対して当該端末装置がネットワークに接続されていないことを強くアピールできる。当該端末装置を利用者が利用するためには、当該端末装置をネットワークに接続しなければならず、この結果、利用者に対して、当該端末装置のネットワーク接続を強制できるという効果を奏する。
【００１７】
ここで、前記端末装置は、さらに、利用者の操作指示を受け付ける受付手段を含み、前記操作指示が電源オンの操作を示す場合、当該端末装置に電力が供給された直後に、前記接続確認手段は、前記確認を行うとしてもよい。
【００１８】
この構成によると、電源オンの操作指示を受け付けた場合、端末装置がネットワークに接続されていないことが確認されたとき、当該端末装置が有する機能が無効化されるので、当該端末装置は、利用者に対して当該端末装置がネットワークに接続されていないことを強くアピールできる。
【００１９】
ここで、前記端末装置は、放送波受信装置であって、放送波を受信する受信手段と、放送波から番組を抽出する抽出手段と、抽出した番組を再生する再生手段とを含み、前記接続確認手段による確認の間、前記受信手段により、放送波を受信し、前記抽出手段により、放送波から番組を抽出し、前記再生手段により、抽出した番組を再生してもよい。
【００２０】
この構成によると、前記接続確認手段による確認の時間帯において、利用者は、放送波から抽出した番組を視聴することができる。
【００２１】
ここで、前記受信手段は、自然災害の状況を示す自然災害情報を含む放送波を受信し、前記抽出手段は、放送波から前記自然災害情報を抽出し、抽出された前記自然災害情報により示される状況が予め定められた条件を満たさない場合に、前記無効化手段は、抽出した前記自然災害情報を再生する前記再生手段を無効化してもよい。
【００２２】
この構成によると、取得した前記自然災害情報により示される状況の程度が閾値より低い場合に、前記無効化手段は、前記再生手段を無効化するので、自然災害情報を表示できないことによる弊害を少なくすることができる。
【００２３】
ここで、前記端末装置は、さらに、ネットワークに接続されていないことが確認された場合に、当該端末装置がネットワークに接続されていないことを表す特殊映像又は警告文を再生する再生手段を含み、前記無効化手段は、前記再生手段により前記特殊映像又は前記警告文が再生された後、前記機能を無効化してもよい。
【００２４】
この構成によると、ネットワークに接続されていないことが確認された場合に、ネットワークに接続されていないことを表す特殊映像又は警告文が再生されるので、利用者は、当該端末装置がネットワークに接続されていないことを知ることができる。
【００２５】
ここで、前記端末装置は、さらに、ネットワークに接続されていないことが確認された場合に、当該端末装置をネットワークに接続するための設定を行うか否かを利用者に問うメッセージを再生する再生手段と、利用者の操作指示を受け付ける受付手段とを含み、前記無効化手段は、受け付けた前記操作指示が、ネットワークに接続するための設定を行わないことを示す場合、前記機能を無効化してもよい。
【００２６】
この構成によると、ネットワークに接続されていないことが確認された場合に、当該端末装置をネットワークに接続するための設定を行うか否かを利用者に問うメッセージが再生され、利用者の操作指示を受け付けるので、利用者は、問いに対して応答することができる。
【００２７】
ここで、前記端末装置は、さらに、前記接続確認手段により過去になされた複数回のネットワークへの接続確認について、それぞれ、当該端末装置がネットワークに接続されていたか否かを示す接続情報を記憶している記憶手段を含み、全ての前記接続情報のうち、接続されていたことを示す接続情報の比率が予め定められた条件を満たさない場合に、前記無効化手段は、前記機能を無効化してもよい。
【００２８】
この構成によると、ネットワークに接続されていないことが確認された場合に、過去に接続されていたことを示す接続情報の比率が閾値未満である場合に、機能が無効化される。このため、利用者は、当該機能を利用できず、当該端末装置は、利用者に対して当該端末装置がネットワークに接続されていないことをアピールできる。
【００２９】
ここで、前記端末装置は、さらに、機能の無効化を免除するか否かを示す許可情報を取得する取得手段を含み、取得した前記許可情報が機能の無効化の免除を示さない場合、前記無効化手段は、前記機能を無効化してもよい。
【００３０】
この構成によると、前記許可情報が機能の無効化の免除を示さない場合、機能が無効化される。このため、利用者は、当該機能を利用できず、当該端末装置は、利用者に対して当該端末装置がネットワークに接続されていないことをアピールできる。
【００３１】
ここで、前記端末装置は、制御プログラムを記憶しているメモリ手段と前記制御プログラムを実行するプロセッサとを含むコンピュータシステムであり、前記端末装置は、さらに、許可情報を取得する取得手段と、メッセージを再生する再生手段と、利用者の操作指示を受け付ける受付手段とを含み、前記許可情報は、前記制御プログラムを更新するための更新プログラムを含み、当該更新プログラムによる前記制御プログラムの更新がされることを条件として、機能の無効化を免除することを示し、前記再生手段は、ネットワークに接続されていないことが確認された場合に、更新プログラムを用いて前記制御プログラムの更新を行うか否かを利用者に問う前記メッセージを再生し、取得した前記許可情報が機能の無効化の免除を示し、前記操作指示が前記制御プログラムの更新をしないことを示す場合、前記無効化手段は、前記機能を無効化してもよい。
【００３２】
この構成によると、前記許可情報が、制御プログラムの更新がされることを条件として、機能の無効化の免除を示すが、利用者の操作指示が制御プログラムを更新しないことを示す場合、機能が無効化される。このため、利用者は、当該機能を利用できず、当該端末装置は、利用者に対して当該端末装置がネットワークに接続されていないことをアピールできる。
【００３３】
本発明の別の実施態様は、ネットワークへの接続機能を有する端末装置において用いられる制御方法であって、当該端末装置がネットワークに接続しているか否かを確認する接続確認ステップと、ネットワークに接続されていないことが確認された場合に、当該端末装置が有する機能を無効化する無効化ステップとを含むことを特徴とする。
【００３４】
この方法を用いると、端末装置がネットワークに接続されていないことが確認された場合に、当該端末装置が有する機能が無効化される。このため、利用者は、当該機能を利用できず、当該端末装置は、利用者に対して当該端末装置がネットワークに接続されていないことを強くアピールできる。当該端末装置の機能を利用者が利用するためには、当該端末装置をネットワークに接続しなければならず、この結果、利用者に対して、当該端末装置のネットワーク接続を強制できるという効果を奏する。
【００３５】
本発明の別の実施態様は、ネットワークへの接続機能を有する端末装置において用いられる制御用のコンピュータプログラムを記録しているコンピュータ読み取り可能な記録媒体であって、コンピュータである前記端末装置に、当該端末装置がネットワークに接続しているか否かを確認する接続確認ステップと、ネットワークに接続されていないことが確認された場合に、当該端末装置が有する機能を無効化する無効化ステップとを実行させるためのコンピュータプログラムを記録していることを特徴とする。
【００３６】
このコンピュータプログラムをコンピュータである端末装置において実行することにより、端末装置がネットワークに接続されていないことが確認された場合に、当該端末装置が有する機能が無効化される。このため、利用者は、当該機能を利用できず、当該端末装置は、利用者に対して当該端末装置がネットワークに接続されていないことを強くアピールできる。当該端末装置の機能を利用者が利用するためには、当該端末装置をネットワークに接続しなければならず、この結果、利用者に対して、当該端末装置のネットワーク接続を強制できるという効果を奏する。
【００３７】
１．実施の形態１
本発明に係る実施の形態１としての端末装置１００ａについて説明する。
【００３８】
（１）ネットワークへの接続機能を有する端末装置１００ａは、図２０に示すように、接続確認部１０９ａと無効化部１１５ａとから構成されている。
【００３９】
接続確認部１０９ａは、端末装置１００ａがネットワークに接続しているか否かを確認する。
【００４０】
無効化部１１５ａは、ネットワークに接続されていないことが確認された場合に、端末装置１００ａが有する機能を無効化する。
【００４１】
次に、端末装置１００ａの動作について、図２１に示すフローチャートを用いて説明する。
【００４２】
接続確認部１０９ａは、端末装置１００ａがネットワークに接続しているか否かを確認する（ステップＳ２０１）。
【００４３】
無効化部１１５ａは、ネットワークに接続されていないことが確認された場合に（ステップＳ２０２で「ＹＥＳ」）、端末装置１００ａが有する機能を無効化する（ステップＳ２０３）。
【００４４】
（２）無効化部１１５ａは、ネットワークに接続されていないことが確認された場合に、端末装置１００ａに対する電力の供給を停止するよう制御してもよい。
【００４５】
（３）端末装置１００ａは、さらに、利用者の操作指示を受け付ける受付部を含むとしてもよい。
【００４６】
前記操作指示が電源オンの操作を示す場合、端末装置１００ａに電力が供給された直後に、接続確認部１０９ａは、前記確認を行う。
【００４７】
（４）端末装置１００ａは、放送波受信装置であるとしてもよい。端末装置１００ａは、放送波を受信する受信部と、放送波から番組を抽出する抽出部と、抽出した番組を再生する再生手段とを含む。
【００４８】
接続確認部１０９ａによる確認の間、前記受信部により、放送波を受信し、前記抽出部により、放送波から番組を抽出し、前記再生部により、抽出した番組を再生する。
【００４９】
（５）前記受信部は、自然災害の状況を示す自然災害情報を含む放送波を受信してもよい。前記抽出部は、放送波から前記自然災害情報を抽出する。
【００５０】
抽出された前記自然災害情報により示される状況が予め定められた条件を満たさない場合に、無効化部１１５ａは、抽出した前記自然災害情報を再生する前記再生部を無効化する。
【００５１】
（６）端末装置１００ａは、さらに、ネットワークに接続されていないことが確認された場合に、端末装置１００ａがネットワークに接続されていないことを表す特殊映像又は警告文を再生する再生部を含むとしてもよい。
【００５２】
無効化部１１５ａは、前記再生部により前記特殊映像又は前記警告文が再生された後、前記機能を無効化する。
【００５３】
（７）端末装置１００ａは、さらに、ネットワークに接続されていないことが確認された場合に、端末装置１００ａをネットワークに接続するための設定を行うか否かを利用者に問うメッセージを再生する再生部と、利用者の操作指示を受け付ける受付部とを含むとしてもよい。
【００５４】
無効化部１１５ａは、受け付けた前記操作指示が、ネットワークに接続するための設定を行わないことを示す場合、前記機能を無効化する。
【００５５】
（８）端末装置１００ａは、さらに、接続確認部１０９ａにより過去になされた複数回のネットワークへの接続確認について、それぞれ、端末装置１００ａがネットワークに接続されていたか否かを示す接続情報を記憶している記憶手段を含むとしてもよい。
【００５６】
全ての前記接続情報のうち、接続されていたことを示す接続情報の比率が予め定められた条件を満たさない場合に、無効化部１１５ａは、前記機能を無効化する。
【００５７】
（９）端末装置１００ａは、さらに、機能の無効化を免除するか否かを示す許可情報を取得する取得部を含むとしてもよい。
【００５８】
取得した前記許可情報が機能の無効化の免除を示さない場合、無効化部１１５ａは、前記機能を無効化する。
【００５９】
（１０）端末装置１００ａは、制御プログラムを記憶しているメモリ手段と前記制御プログラムを実行するプロセッサとを含むコンピュータシステムであるとしてもよい。
【００６０】
端末装置１００ａは、さらに、許可情報を取得する取得部と、メッセージを再生する再生部と、利用者の操作指示を受け付ける受付部とを含む。
【００６１】
前記許可情報は、前記制御プログラムを更新するための更新プログラムを含み、当該更新プログラムによる前記制御プログラムの更新がされることを条件として、機能の無効化を免除することを示す。
【００６２】
前記再生部は、ネットワークに接続されていないことが確認された場合に、更新プログラムを用いて前記制御プログラムの更新を行うか否かを利用者に問う前記メッセージを再生する。
【００６３】
取得した前記許可情報が機能の無効化の免除を示し、前記操作指示が前記制御プログラムの更新をしないことを示す場合、無効化部１１５ａは、前記機能を無効化する。
【００６４】
２．実施の形態２
本発明に係る実施の形態２としてのコンテンツ送受信システム１０について、図面を参照しながら説明する。
【００６５】
２．１  コンテンツ送受信システム１０
コンテンツ送受信システム１０は、図１に示すように、テレビ受像機１００及びサーバ装置２００から構成されている。テレビ受像機１００とサーバ装置２００とは、インターネットを代表とするネットワーク２０を介して、接続されている。
【００６６】
サーバ装置２００は、一例として映像及び音声から構成されるコンテンツをネットワーク２０を介して、テレビ受像機１００に送信する。また、サーバ装置２００は、制御プログラムをネットワーク２０を介して、テレビ受像機１００に送信する。制御プログラムは、テレビ受像機１００において用いられ、テレビ受像機１００における動作を指示する命令から構成されるコンピュータプログラムである。サーバ装置２００は、一例として、テレビ受像機１００を製造するメーカーのサービスセンタに設置されている。
【００６７】
また、番組放送装置（図示していない）は、一例として、映像及び音声から構成されるコンテンツを放送波に乗せて放送する。
【００６８】
テレビ受像機１００は、利用者の宅内に設置されている。テレビ受像機１００は、サーバ装置２００からネットワーク２０を介して、コンテンツを受信することによりコンテンツを得る。また、放送波を受信し、放送波からコンテンツを抽出することによりコンテンツを得る。次に、テレビ受像機１００は、得られたコンテンツを再生し、映像及び音声として出力する。
【００６９】
また、テレビ受像機１００は、後述するように、マイクロプロセッサ及びメモリを含み、メモリには、制御プログラムが記憶されている。メモリに記憶されている制御プログラムに従って、マイクロプロセッサが動作することにより、テレビ受像機１００は、その機能を達成する。
【００７０】
出荷時には備えていない機能を追加するために、テレビ受像機１００は、サーバ装置２００から新たな制御プログラムを受信し、受信した新たな制御プログラムをメモリに追加して書き込む。このように、出荷後に、機能を追加できるので、テレビ受像機１００が出荷時に備えておくべき機能を最小限とすることができる。
【００７１】
また、メモリに記憶されている制御プログラムに不具合が発見された場合に、テレビ受像機１００は、サーバ装置２００から、不具合を解消するための制御プログラムを受信する。次に、受信した制御プログラムにより、メモリに記憶されている古い制御プログラムを置き換える。このため、ネットワーク２０を介して、制御プログラムの変更ができ、テレビ受像機１００の不具合を解消することができる。
【００７２】
このように、テレビ受像機１００が、ネットワーク２０を介して、サーバ装置２００に接続されていれば、ネットワーク２０を介して容易に機能の追加や更新を行うことができる。この結果、テレビ受像機１００が、サーバ装置２００に接続されていることを前提とすると、テレビ受像機１００の製造方法やメンテナンスに関する対応方法が大きく変化する。
【００７３】
また、テレビ受像機１００は、サーバ装置２００に接続し、サーバ装置２００に対してデータを提供できる。また、サーバ装置２００は、テレビ受像機１００に対してデータを提供できる。これにより、利用者における利便性を向上させることができる。
【００７４】
２．２  サーバ装置２００
サーバ装置２００は、図２に示すように、制御部２０１、記憶部２０２及び通信部２０３から構成されている。
【００７５】
サーバ装置２００は、具体的には、マイクロプロセッサ、ＲＯＭ、ＲＡＭ、ハードディスクデバイスなどから構成されるコンピュータシステムである。前記ＲＯＭ又は前記ハードディスクデバイスには、コンピュータプログラムである制御プログラムが記憶されている。前記マイクロプロセッサが、前記制御プログラムに従って動作することにより、サーバ装置２００の制御部２０１及び通信部２０３は、その機能を達成する。
【００７６】
（１）記憶部２０２
記憶部２０２は、更新用の制御プログラム及び追加用の制御プログラムを記憶している。更新用の制御プログラム及び追加用の制御プログラムは、それぞれ、テレビ受像機１００において用いられるコンピュータプログラムである。更新用の制御プログラムは、テレビ受像機１００において記憶されている制御プログラムを更新するために用いられる。追加用の制御プログラムは、テレビ受像機１００に新たな機能を追加するために用いられる。
【００７７】
また、記憶部２０２は、映像及び音声から構成されるコンテンツを記憶している。当該コンテンツは、ネットワーク２０を介して、テレビ受像機１００に送信され、テレビ受像機１００において再生し、出力される。
【００７８】
（２）制御部２０１
制御部２０１は、テレビ受像機１００からの要求により、記憶部２０２から制御プログラム又はコンテンツを読み出す。次に、読み出した制御プログラム又はコンテンツを通信部２０３及びネットワーク２０を介して、テレビ受像機１００に対して、送信する。
【００７９】
（３）通信部２０３
通信部２０３は、ネットワーク２０を介して、テレビ受像機１００との間でデータの送受信を行う。
【００８０】
２．３  テレビ受像機１００
テレビ受像機１００は、図３に示すように、制御部１０１、記憶部１０２、通信部１０３、放送波受信部１０４、デコード部１０５、再生部１０６、表示部１０７、入力受信部１０８、接続確認部１０９、電源部１１０、更新部１１３及びボタン操作部１１４から構成されている。放送波受信部１０４には、アンテナ１１２が接続されている。また、入力受信部１０８は、利用者によるリモコン１１１の操作により発生した操作信号を受け付ける。
【００８１】
テレビ受像機１００は、具体的には、マイクロプロセッサ、ＲＯＭ、ＲＡＭ、ハードディスクデバイスなどから構成されるコンピュータシステムである。前記ＲＯＭ又は前記ハードディスクデバイスには、コンピュータプログラムである制御プログラムが記憶されている。前記マイクロプロセッサが、前記制御プログラムに従って動作することにより、サーバ装置２００の制御部１０１、通信部１０３、放送波受信部１０４、デコード部１０５、再生部１０６、入力受信部１０８、接続確認部１０９及び更新部１１３は、それぞれの機能を達成する。
【００８２】
なお、テレビ受像機１００の制御部１０１、記憶部１０２、通信部１０３、放送波受信部１０４、デコード部１０５、再生部１０６、接続確認部１０９及び更新部１１３等の各機能ブロックは、典型的には集積回路であるＬＳＩとして実現される。これらの各機能ブロックは、個別に１チップ化されてもよいし、１個以上の部、又は各部の一部を含むように１チップ化されてもよい。
【００８３】
また、集積回路化の手法はＬＳＩに限るものではなく、専用回路又は汎用プロセッサにより実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
【００８４】
さらに、半導体技術の進歩又は派生する別技術によりＬＳＩに置き換わる集積回路化の技術が登場すれば、当然、その技術を用いて機能ブロックの集積化を行ってもよい。
【００８５】
また、各機能ブロックは、ソフトウェアで実現されてもよいし、ＬＳＩとソフトウェアの組み合わせで実現されてもよい。また、ソフトウェアは耐タンパ化されていてもよい。
【００８６】
テレビ受像機１００は、ネットワーク２０を介して、サーバ装置２００と接続され、サーバ装置２００との間でデータの送受信が行われる。ここで、データには、コンテンツ、制御プログラム、利用者に関連するデータ及びテレビ受像機１００をコントロールするための制御データ等が含まれる。
【００８７】
（１）ボタン操作部１１４及びリモコン１１１
ボタン操作部１１４は、電源ボタンを含む各種のボタンを含んでいる。利用者によりこれらのボタンの操作がされると、ボタン操作部１１４は、当該ボタンに対応する操作信号を入力受信部１０８に対して、出力する。
【００８８】
リモコン１１１は、電源ボタンを含む各種のボタンを含んでいる。利用者によりこれらのボタンの操作がされると、リモコン１１１は、当該ボタンに対応する操作信号を入力受信部１０８に対して、出力する。
【００８９】
（２）電源部１１０
テレビ受像機１００は、電源ＯＦＦの状態において、待機モード及び完全電源ＯＦＦモードの二種類の状態を有している。完全電源ＯＦＦモードにおいては、テレビ受像機１００のどの構成要素にも、電力は供給されない。待機モードの電源ＯＦＦ状態においては、入力受信部１０８にのみ、電力が供給され、その他の構成要素には、電力は、供給されない。
【００９０】
完全電源ＯＦＦモードにおいて、利用者により、ボタン操作部１１４が備える電源ボタンを用いて、電源ＯＮとされた場合には、電源部１１０は、入力受信部１０８、制御部１０１、記憶部１０２、通信部１０３及び接続確認部１０９に対してのみ、電力を供給する。待機モードにおいて、利用者により、リモコン１１１が備える電源ボタンを用いて、電源ＯＮとされた場合には、電源部１１０は、既に電力が供給されている入力受信部１０８に加え、制御部１０１、記憶部１０２、通信部１０３及び接続確認部１０９に対して、電力を供給する。
【００９１】
利用者により、テレビ受像機１００が備える電源ボタンを用いて、電源ＯＦＦとされた場合には、完全電源ＯＦＦモードとなる。このとき、電源部１１０は、制御部１０１の制御により、テレビ受像機１００のどの構成要素にも、電力の供給を停止する。一方、利用者により、リモコン１１１が備える電源ボタンを用いて、電源ＯＦＦとされた場合には、待機モードの電源ＯＦＦ状態となる。このとき、電源部１１０は、制御部１０１の制御により、入力受信部１０８にのみ、電力を供給し、その他の構成要素には、電力の供給を停止する。
【００９２】
さらに、電源ＯＮ状態において、後述するように、接続確認部１０９により、テレビ受像機１００がネットワーク２０に接続されていることが確認された場合には、電源部１１０は、制御部１０１の制御により、放送波受信部１０４、デコード部１０５、再生部１０６、表示部１０７及び更新部１１３に対して電力を供給する。
【００９３】
また、電源ＯＮ状態において、後述するように、接続確認部１０９により、テレビ受像機１００がネットワーク２０に接続されていないことが確認された場合には、電源部１１０は、制御部１０１の無効化部１１５の制御により、制御部１０１、入力受信部１０８、通信部１０３、接続確認部１０９及び記憶部１０２に対する電力の供給を停止する。つまり、電源部１１０は、利用者の操作とは関係なく、制御部１０１の制御により、強制的にテレビ受像機１００の電源を切断する。
【００９４】
（３）記憶部１０２
記憶部１０２は、ハードディスクデバイス、不揮発性の半導体メモリ、又は、ハードディスクデバイス及び不揮発性の半導体メモリから構成されている。
【００９５】
記憶部１０２は、一例として、接続先テーブル１３１、映像及び音声からなるコンテンツ、利用者に関連するデータ、テレビ受像機１００の動作を制御する制御プログラム、テレビ受像機１００をコントロールするための制御データ及びその他のデータを記憶している。
【００９６】
接続先テーブル１３１は、一例として、図４に示すように、複数の接続先情報１３２、１３３、１３４、・・・を含む。各接続先情報は、ネットワーク２０上に配置されたＷｅｂサイトの位置を示すＵＲＬ（Uniform Resource Locator）である。これらの接続先情報は、テレビ受像機１００がネットワーク２０に接続されているか否かを確認するために、用いられる。
【００９７】
接続先情報１３２は、一例として、ネットワーク２０におけるサーバ装置２００の配置位置を示す。接続先情報１３３は、一例として、ネットワーク２０における確認装置の配置位置を示す。確認装置は、テレビ受像機１００がネットワーク２０に接続されているか否かを確認するためにのみ用いられる。接続先情報１３４は、一例として、ネットワーク２０における別のサーバ装置の配置位置を示す。当該別のサーバ装置は、テレビ受像機１００を製造するメーカーが利用者に対して情報を提供するためのＷｅｂサイトである。
【００９８】
（４）入力受信部１０８
入力受信部１０８は、利用者の操作により、リモコン１１１又はボタン操作部１１４から、テレビ受像機１００の操作のための操作信号を受信する。例えば、利用者がリモコン１１１の電源ＯＮボタンを押した場合、入力受信部１０８は、リモコン１１１から「電源ＯＮ」を示す操作信号を受信し、受信した操作信号を、制御部１０１に対して出力する。
【００９９】
（５）アンテナ１１２、放送波受信部１０４、デコード部１０５、再生部１０６及び表示部１０７
アンテナ１１２は、放送波を受信する。
【０１００】
放送波受信部１０４は、アンテナ１１２から放送波を受け取り、放送波から放送ストリームを選択し、復調する。
【０１０１】
デコード部１０５は、放送波受信部１０４から放送ストリームを受け取る。また、通信部１０３から放送ストリームを受け取る。次に、受け取った放送ストリームを分離して、映像ストリームと音声ストリームを生成する。次に、映像ストリームと音声ストリームを復号して、それぞれ、デジタルの映像信号及びデジタルの音声信号を生成する。
【０１０２】
再生部１０６は、デジタルの映像信号及びデジタルの音声信号からアナログの映像信号及びアナログの音声信号を生成する。また、再生部１０６は、制御部１０１の制御により、その他の映像、静止画、メッセージなどからアナログの映像信号を生成する。
【０１０３】
表示部１０７は、液晶表示デバイス及びスピーカを備える。表示部１０７は、再生部１０６から、アナログの映像信号及びアナログの音声信号を受信し、映像を表示し、音声を出力する。
【０１０４】
（６）通信部１０３
通信部１０３は、ネットワーク２０を介して、サーバ装置２００と接続し、サーバ装置２００との間で、データの送受信を行う。
【０１０５】
（７）接続確認部１０９
接続確認部１０９は、記憶部１０２に記憶されている接続先テーブル１３１から、１個の接続先情報を読み出す。次に、通信部１０３を介して、読み出した接続先情報により示されるＷｅｂサイトに対する接続を試みる。当該Ｗｅｂサイトから肯定的な応答（ＡＣＫ：Ａｃｋｎｏｗｌｅｄｇｅｍｅｎｔ）を受け取ると、テレビ受像機１００がネットワーク２０に接続されていると判断する。当該Ｗｅｂサイトから、一定時間以上、例えば、５秒以上、肯定的な応答を受け取らない場合には、テレビ受像機１００がネットワーク２０に接続されていないと判断する。
【０１０６】
次に、テレビ受像機１００がネットワーク２０に接続されていないと判断する場合、接続確認部１０９は、制御部１０１に対して、非接続情報を出力する。ここで、非接続情報は、テレビ受像機１００がネットワーク２０に接続されていないことを示す。一方、テレビ受像機１００がネットワーク２０に接続されていると判断する場合、接続確認部１０９は、制御部１０１に対して、接続情報を出力する。ここで、接続情報は、テレビ受像機１００がネットワーク２０に接続されていることを示す。
【０１０７】
なお、接続確認部１０９は、次のようにして、テレビ受像機１００がネットワーク２０に接続されているか否かを判断してもよい。
【０１０８】
接続確認部１０９は、記憶部１０２に記憶されている接続先テーブル１３１から、全ての接続先情報を読み出す。次に、通信部１０３を介して、読み出した各接続先情報により示されるＷｅｂサイトに対する接続を試みる。複数の接続先情報のうち、少なくとも一つの接続先情報により示されるＷｅｂサイトから肯定的な応答を受け取ると、テレビ受像機１００がネットワーク２０に接続されていると判断する。全ての接続先情報により示されるＷｅｂサイトから、一定時間以上、肯定的な応答を受け取らない場合に、接続確認部１０９は、テレビ受像機１００がネットワーク２０に接続されていないと判断する。
【０１０９】
（８）更新部１１３
更新部１１３は、サーバ装置２００から、ネットワーク２０及び通信部１０３を介して、更新用の制御プログラム又は追加用の制御プログラムを受信する。
【０１１０】
更新用の制御プログラムを受信すると、更新部１１３は、受信した制御プログラムにより、記憶部１０２に記憶している元の制御プログラムを置き換える。また、追加用の制御プログラムを受信すると、更新部１１３は、記憶部１０２に追加用の制御プログラムを追加して書き込む。
【０１１１】
（９）制御部１０１
制御部１０１は、記憶部１０２、通信部１０３、放送波受信部１０４、デコード部１０５、再生部１０６、表示部１０７、入力受信部１０８、接続確認部１０９、電源部１１０及び更新部１１３を制御して、テレビ受像機１００の機能を実現する。
【０１１２】
制御部１０１は、無効化部１１５を含む。
【０１１３】
制御部１０１は、リモコン１１１から、入力受信部１０８を介して、操作信号を受け取る。操作信号を受け取ると、制御部１０１は、受け取った操作信号に応じた制御を行う。
【０１１４】
テレビ受像機１００が備える電源ボタンによる「電源ＯＦＦ」を示す操作信号を受け取った場合、制御部１０１は、電源部１１０に対して、テレビ受像機１００の全ての構成要素に対して、電力の供給を停止するように、制御する。一方、リモコン１１１が備える電源ボタンによる「電源ＯＦＦ」を示す操作信号を受け取った場合、制御部１０１は、電源部１１０に対して、入力受信部１０８を除くテレビ受像機１００の他の全ての構成要素に対して、電力の供給を停止するように、制御する。
【０１１５】
制御部１０１は、接続確認部１０９から、非接続情報及び接続情報のいずれか一方を受け取る。非接続情報を受け取ると、制御部１０１の無効化部１１５は、電源部１１０に対して、強制的に、通信部１０３、接続確認部１０９、記憶部１０２、制御部１０１及び入力受信部１０８に対する電力の供給を停止するように、制御する。
【０１１６】
一方、接続情報を受け取ると、制御部１０１は、電源部１１０に対して、放送波受信部１０４、デコード部１０５、再生部１０６、表示部１０７及び更新部１１３に対して、電力の供給するように、制御する。また、制御部１０１は、放送波受信部１０４に対して、放送波から放送ストリームを選択し、復調させる。制御部１０１は、デコード部１０５に、放送ストリームを分離して、映像ストリームと音声ストリームを生成させる。さらに、映像ストリームと音声ストリームを復号して、それぞれ、デジタルの映像信号及びデジタルの音声信号を生成させる。制御部１０１は、表示部１０７に対して、放送番組の映像を表示させ、放送番組の音声を出力させる。
【０１１７】
２．４  テレビ受像機１００の電源をＯＮとする場合の動作
待機モードにおいて、利用者によるリモコン１１１の操作で電源をＯＮ状態とする場合のテレビ受像機１００の動作について、図５に示すフローチャートを用いて説明する。
【０１１８】
入力受信部１０８は、リモコン１１１から「電源ＯＮ」を示す操作信号を受信する（ステップＳ１０１）。次に、電源部１１０は、制御部１０１、記憶部１０２、通信部１０３及び接続確認部１０９に対して、電力を供給する（ステップＳ１０２）。
【０１１９】
接続確認部１０９は、記憶部１０２の接続先テーブル１３１に記憶されている接続先情報により示されるＷｅｂサイトに対して、通信部１０３を介して接続を試みる。これにより、テレビ受像機１００がネットワーク２０に接続されているか否かを確認する（ステップＳ１０３）。接続が確認できた場合（ステップＳ１０４で「ＹＥＳ」）、電源部１１０は、制御部１０１の制御により、放送波受信部１０４、デコード部１０５、再生部１０６、表示部１０７及び更新部１１３に対して、電力を供給する（ステップＳ１０６）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０１２０】
一方、接続が確認できなかった場合（ステップＳ１０４で「ＮＯ」）、電源部１１０は、制御部１０１の無効化部１１５の制御により、入力受信部１０８、通信部１０３、接続確認部１０９、記憶部１０２及び制御部１０１に対して、強制的に電力の供給を停止する。言い換えると、テレビ受像機１００を完全電源ＯＦＦモードとする（ステップＳ１０５）。これにより、テレビ受像機１００の動作を終了する。
【０１２１】
２．５  まとめ
以上説明したように、コンテンツ送受信システム１０のテレビ受像機１００は、利用者の操作により、電源が投入された直後に、テレビ受像機１００がネットワーク２０に接続されているか否かを確認する。接続がされていないことを確認した場合、テレビ受像機１００の電源を強制的に切断する。
【０１２２】
このため、利用者は、テレビ受像機１００をネットワークに接続しなければ、テレビ受像機１００を利用することができない。この結果、テレビ受像機１００は、利用者に対して、ネットワークへの接続を強制することができる。
【０１２３】
こうして、利用者に対して、テレビ受像機１００を強制的にネットワークに接続させることができるので、新たな機能を追加したり、不具合を解消することができる。この結果、利用者の利便性を向上させることができる。さらに、ネットワーク経由による機能追加を前提として、出荷時の機能（制御プログラム）を最小限にできる。この結果、テレビ受像機１００においてプログラムを記憶するためのメモリのサイズを削減することができる。
【０１２４】
３．その他の変形例
なお、本発明を上記実施の形態に基づいて説明しているが、上記実施の形態には限定されない。以下に示すように構成してもよい。
【０１２５】
３．１  変形例（１）
上記実施の形態の変形例（１）としてのテレビ受像機１００について説明する。
【０１２６】
上記実施の形態においては、ネットワーク２０に対する接続状態を確認するまで、放送波の受信を行わない。これに対して、変形例（１）では、ネットワーク２０に対する接続状態を確認している時間帯に、放送波を受信し、放送番組を再生する。この点において、変形例（１）は、上記実施の形態と相違している。
【０１２７】
ここでは、上記実施の形態との相違点を中心として、説明する。
【０１２８】
完全電源ＯＦＦモードにおいて、利用者により、ボタン操作部１１４が備える電源ボタンを用いて、電源ＯＮとされた場合には、電源部１１０は、テレビ受像機１００の全ての構成要素に対して電力を供給する。待機モードにおいて、利用者により、リモコン１１１が備える電源ボタンを用いて、電源ＯＮとされた場合には、既に電力が供給されている入力受信部１０８に加え、テレビ受像機１００の残りの全ての構成要素に対して、電力を供給する。
【０１２９】
電源ＯＮとされた場合に、接続確認部１０９は、ネットワーク２０に対する接続を確認する。接続の確認と同時に、放送波受信部１０４は、放送波から放送ストリームを選択し、復調し、デコード部１０５は、映像ストリームと音声ストリームを復号する。再生部１０６は、アナログの映像信号及び音声信号を生成し、表示部１０７は、放送番組の映像を表示し、放送番組の音声を出力する
接続確認部１０９により、ネットワーク２０に対する接続が確認された場合には、放送波受信部１０４、デコード部１０５、再生部１０６及び表示部１０７は、放送波の受信、復調、復号、再生、表示及び出力を継続する。
【０１３０】
接続確認部１０９により、ネットワーク２０に対する接続が確認されなかった場合には、電源部１１０は、テレビ受像機１００の全ての構成要素に対する電力の供給を停止する。
【０１３１】
次に、待機モードにおいて、利用者によるリモコン１１１の操作で電源をＯＮ状態とする場合のテレビ受像機１００の動作について、図６に示すフローチャートを用いて説明する。
【０１３２】
入力受信部１０８は、リモコン１１１から「電源ＯＮ」を示す操作信号を受信する（ステップＳ１０１）。次に、電源部１１０は、入力受信部１０８を除いて、テレビ受像機１００の全ての構成要素に対して、電力を供給する（ステップＳ１０２ａ）。
【０１３３】
電力が供給されると、接続確認部１０９は、テレビ受像機１００がネットワーク２０に接続されているか否かを確認する（ステップＳ１０３）。
【０１３４】
電力が供給されると、ステップＳ１０３における動作の時間帯において、放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１１１）。
【０１３５】
接続が確認できた場合（ステップＳ１０４で「ＹＥＳ」）、放送波受信部１０４は、継続して、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０１３６】
一方、接続が確認できなかった場合（ステップＳ１０４で「ＮＯ」）、電源部１１０は、制御部１０１の無効化部１１５の制御により、テレビ受像機１００の全ての構成要素に対して、強制的に電力の供給を停止する。言い換えると、テレビ受像機１００を完全電源ＯＦＦモードとする（ステップＳ１０５ａ）。これにより、テレビ受像機１００の動作を終了する。
【０１３７】
３．２  変形例（２）
上記実施の形態の変形例（２）としてのテレビ受像機１００について説明する。
【０１３８】
上記実施の形態においては、ネットワーク２０に対する接続状態が確認されなかった場合、直ちに、テレビ受像機１００の電源を切断する。これに対して、変形例（２）では、ネットワーク２０に対する接続状態が確認されなかった場合、特殊映像を表示し、その後に、テレビ受像機１００の電源を切断する。この点において、変形例（２）は、上記実施の形態と相違している。
【０１３９】
ここでは、上記実施の形態との相違点を中心として、説明する。
【０１４０】
記憶部１０２は、テレビ受像機１００の出荷時において、さらに、利用者に対して、ネットワーク接続を促すためのプロモーション映像などの特殊映像を記憶している。
【０１４１】
完全電源ＯＦＦモードにおいて、利用者により、ボタン操作部１１４が備える電源ボタンを用いて、電源ＯＮとされた場合には、電源部１１０は、入力受信部１０８、制御部１０１、記憶部１０２、通信部１０３、接続確認部１０９、デコード部１０５、再生部１０６及び表示部１０７に対して電力を供給する。待機モードにおいて、利用者により、リモコン１１１が備える電源ボタンを用いて、電源ＯＮとされた場合には、既に電力が供給されている入力受信部１０８に加え、制御部１０１、記憶部１０２、通信部１０３、接続確認部１０９、デコード部１０５、再生部１０６及び表示部１０７に対して、電力を供給する。
【０１４２】
接続確認部１０９により、ネットワーク２０に対する接続が確認されなかった場合、制御部１０１の制御により、デコード部１０５は、記憶部１０２から特殊映像を読み出す。次に、デコード部１０５は、読み出した特殊映像を復号して、デジタルの映像信号を生成する。再生部１０６は、デジタルの映像信号からアナログの映像信号を生成する。表示部１０７は、アナログの映像信号を基にして、映像を表示する。
【０１４３】
次に、待機モードにおいて、利用者によるリモコン１１１の操作で電源をＯＮ状態とする場合のテレビ受像機１００の動作について、図７に示すフローチャートを用いて説明する。
【０１４４】
入力受信部１０８は、リモコン１１１から「電源ＯＮ」を示す操作信号を受信する（ステップＳ１０１）。次に、電源部１１０は、制御部１０１、記憶部１０２、通信部１０３、接続確認部１０９、デコード部１０５、再生部１０６及び表示部１０７に対して、電力を供給する（ステップＳ１０２ｂ）。
【０１４５】
接続確認部１０９は、テレビ受像機１００がネットワーク２０に接続されているか否かを確認する（ステップＳ１０３）。接続が確認できた場合（ステップＳ１０４で「ＹＥＳ」）、電源部１１０は、制御部１０１の制御により、放送波受信部１０４及び更新部１１３に対して、電力を供給する（ステップＳ１０６ｂ）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０１４６】
一方、接続が確認できなかった場合（ステップＳ１０４で「ＮＯ」）、制御部１０１の制御により、デコード部１０５は、記憶部１０２から特殊映像を読み出す（ステップＳ１２１）。次に、デコード部１０５は、読み出した特殊映像を復号して、デジタルの映像信号を生成する。再生部１０６は、デジタルの映像信号からアナログの映像信号を生成する。表示部１０７は、アナログの映像信号を基にして、映像を表示する（ステップＳ１２２）。次に、電源部１１０は、制御部１０１の無効化部１１５の制御により、入力受信部１０８、通信部１０３、接続確認部１０９、記憶部１０２、制御部１０１、デコード部１０５、再生部１０６及び表示部１０７に対して、強制的に電力の供給を停止する。言い換えると、テレビ受像機１００を完全電源ＯＦＦモードとする（ステップＳ１０５ｂ）。これにより、テレビ受像機１００の動作を終了する。
【０１４７】
３．３  変形例（３）
上記実施の形態の変形例（３）としてのテレビ受像機１００について説明する。
【０１４８】
上記実施の形態においては、ネットワーク２０に対する接続状態が確認されなかった場合、直ちに、テレビ受像機１００の電源を切断する。これに対して、変形例（３）では、ネットワーク２０に対する接続状態が確認されなかった場合、警告文を表示し、その後に、テレビ受像機１００の電源を切断する。この点において、変形例（３）は、上記実施の形態と相違している。
【０１４９】
ここでは、上記実施の形態との相違点を中心として、説明する。
【０１５０】
記憶部１０２は、テレビ受像機１００の出荷時において、さらに、利用者に対して、ネットワークに接続するように警告するための警告文を、テキストデータとして記憶している。なお、ネットワークに接続するように警告するための警告文を表した警告画像を記憶してもよい。
【０１５１】
警告文の一例を図８に示す。この図に示す警告文１４１では、利用者に対して、テレビ受像機がネットワークに接続されていない旨を伝えるとともに、ネットワークへの接続を促している。
【０１５２】
完全電源ＯＦＦモードにおいて、利用者により、ボタン操作部１１４が備える電源ボタンを用いて、電源ＯＮとされた場合には、電源部１１０は、入力受信部１０８、制御部１０１、記憶部１０２、通信部１０３、接続確認部１０９、再生部１０６及び表示部１０７に対して電力を供給する。待機モードにおいて、利用者により、リモコン１１１が備える電源ボタンを用いて、電源ＯＮとされた場合には、既に電力が供給されている入力受信部１０８に加え、制御部１０１、記憶部１０２、通信部１０３、接続確認部１０９、再生部１０６及び表示部１０７に対して、電力を供給する。
【０１５３】
接続確認部１０９により、ネットワーク２０に対する接続が確認されなかった場合、制御部１０１の制御により、再生部１０６は、記憶部１０２から警告文を読み出す。次に、再生部１０６は、読み出した警告文を基にして、デジタルの映像信号を生成する。再生部１０６は、デジタルの映像信号からアナログの映像信号を生成する。表示部１０７は、アナログの映像信号を基にして、映像を表示する。
【０１５４】
次に、待機モードにおいて、利用者によるリモコン１１１の操作で電源をＯＮ状態とする場合のテレビ受像機１００の動作について、図９に示すフローチャートを用いて説明する。
【０１５５】
入力受信部１０８は、リモコン１１１から「電源ＯＮ」を示す操作信号を受信する（ステップＳ１０１）。次に、電源部１１０は、制御部１０１、記憶部１０２、通信部１０３、接続確認部１０９、再生部１０６及び表示部１０７に対して、電力を供給する（ステップＳ１０２ｃ）。
【０１５６】
接続確認部１０９は、テレビ受像機１００がネットワーク２０に接続されているか否かを確認する（ステップＳ１０３）。接続が確認できた場合（ステップＳ１０４で「ＹＥＳ」）、電源部１１０は、制御部１０１の制御により、放送波受信部１０４、デコード部１０５及び更新部１１３に対して、電力を供給する（ステップＳ１０６ｃ）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０１５７】
一方、接続が確認できなかった場合（ステップＳ１０４で「ＮＯ」）、制御部１０１の制御により、再生部１０６は、記憶部１０２から警告文を読み出す（ステップＳ１２１ａ）。次に、再生部１０６は、読み出した警告文を基にして、アナログの映像信号を生成する。表示部１０７は、アナログの映像信号を基にして、映像を表示する（ステップＳ１２２ａ）。次に、電源部１１０は、制御部１０１の無効化部１１５の制御により、入力受信部１０８、通信部１０３、接続確認部１０９、記憶部１０２、制御部１０１、再生部１０６及び表示部１０７に対して、強制的に電力の供給を停止する。言い換えると、テレビ受像機１００を完全電源ＯＦＦモードとする（ステップＳ１０５ｃ）。これにより、テレビ受像機１００の動作を終了する。
【０１５８】
３．４  変形例（４）
上記実施の形態の変形例（４）としてのテレビ受像機１００について説明する。
【０１５９】
上記実施の形態においては、ネットワーク２０に対する接続状態が確認されなかった場合、直ちに、テレビ受像機１００の電源を切断する。これに対して、変形例（４）では、ネットワーク２０に対する接続状態が確認されなかった場合、警告文を表示し、ネットワークへの接続設定をするように促す。その後、利用者がネットワークへの接続設定を行わない場合に、テレビ受像機１００の電源を切断する。この点において、変形例（４）は、上記実施の形態と相違している。
【０１６０】
ここでは、上記実施の形態との相違点を中心として、説明する。
【０１６１】
記憶部１０２は、テレビ受像機１００の出荷時において、さらに、利用者に対して、ネットワークに接続するように警告するための警告文を、テキストデータとして記憶している。なお、ネットワークに接続するように警告するための警告文を表した警告画像を記憶してもよい。
【０１６２】
警告文の一例を図１０に示す。この図に示す警告文１５１は、利用者に対して、テレビ受像機がネットワークに接続されていない旨を伝えるとともに、ネットワークへの接続設定をするか否かを利用者に問いかけている。
【０１６３】
完全電源ＯＦＦモードにおいて、利用者により、ボタン操作部１１４が備える電源ボタンを用いて、電源ＯＮとされた場合には、電源部１１０は、入力受信部１０８、制御部１０１、記憶部１０２、通信部１０３、接続確認部１０９、再生部１０６及び表示部１０７に対して電力を供給する。待機モードにおいて、利用者により、リモコン１１１が備える電源ボタンを用いて、電源ＯＮとされた場合には、既に電力が供給されている入力受信部１０８に加え、制御部１０１、記憶部１０２、通信部１０３、接続確認部１０９、再生部１０６及び表示部１０７に対して、電力を供給する。
【０１６４】
接続確認部１０９により、ネットワーク２０に対する接続が確認されなかった場合、制御部１０１の制御により、再生部１０６は、記憶部１０２から警告文を読み出す。次に、再生部１０６は、読み出した警告文を基にして、デジタルの映像信号を生成する。再生部１０６は、デジタルの映像信号からアナログの映像信号を生成する。表示部１０７は、アナログの映像信号を基にして、映像を表示する。表示される映像は、テレビ受像機１００がネットワーク２０に接続されていない旨を伝えるとともに、ネットワークへの接続の設定を行うか否かを利用者に問いかける。
【０１６５】
制御部１０１は、入力受信部１０８から、利用者の操作信号を受け取る。操作信号は、ネットワークへの接続設定を行うことを示すか、又は、ネットワークへの接続設定を行わないことを示す。
【０１６６】
受け取った操作信号がネットワークへの接続設定を行わないことを示す場合、電源部１１０は、制御部１０１の制御により、入力受信部１０８、通信部１０３、接続確認部１０９、記憶部１０２、制御部１０１、再生部１０６及び表示部１０７に対して、強制的に電力の供給を停止する。
【０１６７】
受け取った操作信号がネットワークへの接続設定を行うことを示す場合、制御部１０１は、再生部１０６及び表示部１０７に対して、ネットワーク接続設定画面を表示させる。次に、制御部１０１は、入力受信部１０８から、利用者の操作信号を受け取る。操作信号は、ネットワークへの接続設定の内容を示す。
【０１６８】
次に、制御部１０１は、接続確認部１０９に対して、再度、ネットワークへの接続状態の確認をさせる。
【０１６９】
次に、待機モードにおいて、利用者によるリモコン１１１の操作で電源をＯＮ状態とする場合のテレビ受像機１００の動作について、図１１に示すフローチャートを用いて説明する。
【０１７０】
入力受信部１０８は、リモコン１１１から「電源ＯＮ」を示す操作信号を受信する（ステップＳ１０１）。次に、電源部１１０は、制御部１０１、記憶部１０２、通信部１０３、接続確認部１０９、再生部１０６及び表示部１０７に対して、電力を供給する（ステップＳ１０２ｃ）。
【０１７１】
接続確認部１０９は、テレビ受像機１００がネットワーク２０に接続されているか否かを確認する（ステップＳ１０３）。接続が確認できた場合（ステップＳ１０４で「ＹＥＳ」）、電源部１１０は、制御部１０１の制御により、放送波受信部１０４、デコード部１０５及び更新部１１３に対して、電力を供給する（ステップＳ１０６ｃ）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０１７２】
一方、接続が確認できなかった場合（ステップＳ１０４で「ＮＯ」）、制御部１０１の制御により、再生部１０６は、記憶部１０２から警告文を読み出す（ステップＳ１２１ａ）。次に、再生部１０６は、読み出した警告文を基にして、アナログの映像信号を生成する。表示部１０７は、アナログの映像信号を基にして、映像を表示する（ステップＳ１２２ａ）。制御部１０１は、利用者のリモコン１１１の操作により、ネットワークへの接続の設定を行うか否かを示す操作信号を、入力受信部１０８から受け取る。ネットワークへの接続の設定を行わないことを示す操作信号を受け取ると（ステップＳ１２３で「いいえ」）、次に、電源部１１０は、制御部１０１の無効化部１１５の制御により、入力受信部１０８、通信部１０３、接続確認部１０９、記憶部１０２、制御部１０１、再生部１０６及び表示部１０７に対して、強制的に電力の供給を停止する。言い換えると、テレビ受像機１００を完全電源ＯＦＦモードとする（ステップＳ１０５ｃ）。これにより、テレビ受像機１００の動作を終了する。
【０１７３】
ネットワークへの接続の設定を行なうことを示す操作信号を受け取ると（ステップＳ１２３で「はい」）、制御部１０１は、再生部１０６及び表示部１０７に対して、ネットワーク接続設定画面を表示させる（ステップＳ１２４）。次に、制御部１０１は、ネットワーク接続設定画面により、ネットワーク接続の設定を受け付ける（ステップＳ１２５）。次に、ステップＳ１０４へ戻って、処理を繰り返す。
【０１７４】
３．５  変形例（５）
上記実施の形態の変形例（５）としてのテレビ受像機１００について説明する。
【０１７５】
上記実施の形態においては、ネットワーク２０に対する接続状態が確認されなかった場合、直ちに、テレビ受像機１００の電源を切断する。これに対して、変形例（５）では、過去のネットワーク２０に対する接続状況を確認し、接続状況が条件を満たすか否かを判定する。条件を満たす場合には、放送波の受信、再生、その他の動作を許可する。条件を満たさない場合には、テレビ受像機１００の電源を切断する。この点において、変形例（５）は、上記実施の形態と相違している。
【０１７６】
以下において、上記実施の形態との相違点を中心として、説明する。
【０１７７】
テレビ受像機１００は、過去にネットワーク接続していたか否かを示す接続情報を保持している。例えば、過去の５回の電源ＯＮ時にネットワーク接続していたか否かについて、「前回：接続、２回前：未接続、３回前：接続、４回前：接続、５回前：未接続」という接続情報を保持している。一例として、「５０％以上のネットワーク接続情報がある場合、強制的な電源ＯＦＦは不要である」という条件が定められている場合、この接続情報によると、制御部１０１は、条件を満たしていると判断する。言い換えると、電源ＯＦＦは不要であると、判断する。
【０１７８】
記憶部１０２は、さらに、図１２に一例として示すネットワーク接続状況テーブル１６１を記憶している。
【０１７９】
ネットワーク接続状況テーブル１６１は、複数の接続情報を記憶するための領域を備えている。各接続情報は、接続時情報及び接続状況情報を含んでいる。接続時情報は、過去における接続時点を示す。接続状況情報は、その時点における接続状況を示す。接続状況は、ネットワーク２０に接続されたことを示す「接続」及びネットワーク２０に接続されなかったことを示す「非接続」のいずれかの状況を取り得る。
【０１８０】
この図に示すように、ネットワーク接続状況テーブル１６１は、接続時情報１７２「前回」と接続状況情報１６２「接続」とを対応付けて記憶している。これは、前回の接続確認において、テレビ受像機１００がネットワーク２０に接続されていたことを示す。また、ネットワーク接続状況テーブル１６１は、接続時情報１７８「７回前」と接続状況情報１６８「非接続」とを対応付けて記憶している。これは、７回前の接続確認において、テレビ受像機１００がネットワーク２０に接続されていなかったことを示す。
【０１８１】
制御部１０１は、接続確認部１０９により、テレビ受像機１００がネットワークに接続されていないことを確認した場合、以下に示すようにして、ネットワーク接続状況テーブルを用いて、接続状況が一定の条件を満たすか否かを判定する。
【０１８２】
制御部１０１は、予め、閾値「０．５」を記憶している。ここで、閾値「０．５」は、一例である。閾値は、「０．４」でもよいし、「０．８」、「０．７」、「０．６」などでもよい。
【０１８３】
制御部１０１は、ネットワーク接続状況テーブル１６１に含まれている接続情報のうち、「接続」である接続状況情報の比率を算出する。
【０１８４】
比率＝「接続」の接続状況情報の数／全ての接続状況情報の数
次に、制御部１０１は、算出により得られた比率が、閾値０．５以上であるか否かを判断する。
【０１８５】
得られた比率が、閾値０．５以上である場合、制御部１０１は、放送波の受信、再生、その他の動作を許可する。
【０１８６】
得られた比率が、閾値０．５未満である場合、制御部１０１は、電源部１１０に対して、入力受信部１０８、通信部１０３、接続確認部１０９、記憶部１０２及び制御部１０１への電力の供給を停止するように、制御する。言い換えると、テレビ受像機１００を完全電源ＯＦＦモードとする。
【０１８７】
次に、待機モードにおいて、利用者によるリモコン１１１の操作で電源をＯＮ状態とする場合のテレビ受像機１００の動作について、図１３に示すフローチャートを用いて説明する。
【０１８８】
入力受信部１０８は、リモコン１１１から「電源ＯＮ」を示す操作信号を受信する（ステップＳ１０１）。次に、電源部１１０は、制御部１０１、記憶部１０２、通信部１０３及び接続確認部１０９に対して、電力を供給する（ステップＳ１０２）。
【０１８９】
接続確認部１０９は、テレビ受像機１００がネットワーク２０に接続されているか否かを確認する（ステップＳ１０３）。接続が確認できた場合（ステップＳ１０４で「ＹＥＳ」）、電源部１１０は、制御部１０１の制御により、放送波受信部１０４、デコード部１０５、再生部１０６、表示部１０７及び更新部１１３に対して、電力を供給する（ステップＳ１０６）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０１９０】
一方、接続が確認できなかった場合（ステップＳ１０４で「ＮＯ」）、制御部１０１は、ネットワーク接続状況テーブル１６１に含まれている接続情報のうち、「接続」である接続状況情報の比率を算出することにより、ネットワーク接続状況を確認する（ステップＳ１３１）。
【０１９１】
次に、制御部１０１は、ネットワーク接続状況が一定の条件を満たすか否かを判断する。具体的には、算出により得られた比率が、閾値０．５以上であるか否かを判断する（ステップＳ１３２）。
【０１９２】
得られた比率が、閾値０．５以上である場合（ステップＳ１３２で「ＹＥＳ」）、条件を満たすとして、ステップＳ１０６へ制御を移す。
【０１９３】
得られた比率が、閾値０．５未満である場合（ステップＳ１３２で「ＮＯ」）、条件を満たさないとして、制御部１０１の無効化部１１５は、電源部１１０に対して、入力受信部１０８、通信部１０３、接続確認部１０９、記憶部１０２及び制御部１０１に対して、強制的に電力の供給を停止するように、制御する。言い換えると、テレビ受像機１００を完全電源ＯＦＦモードとする（ステップＳ１０５）。
【０１９４】
３．６  変形例（６）
上記実施の形態の変形例（６）としてのテレビ受像機１００について説明する。
【０１９５】
上記実施の形態においては、ネットワーク２０に対する接続状態が確認されなかった場合、直ちに、テレビ受像機１００の電源を切断する。これに対して、変形例（６）では、例えば、自然災害情報を取得し、取得した自然災害情報が一定の条件を満たすか否かを判定する。条件を満たす場合には、放送波の受信、再生、その他の動作を許可する。条件を満たさない場合には、テレビ受像機１００の電源を切断する。この点において、変形例（６）は、上記実施の形態と相違している。
【０１９６】
以下において、上記実施の形態との相違点を中心として、説明する。
【０１９７】
自然災害には、発生すると想定される自然災害の程度に応じて、複数のレベルが設定され、自然災害情報は、レベルを含む。例えば、情報提供レベル、警告レベル、勧告レベル及び命令レベルである。情報提供レベルは、自然災害の程度が低く、単なる情報の提供のレベルである。警告レベルは、自然災害の程度がやや高く、自然災害に備えるように警告するレベルである。勧告レベルは、自然災害の程度が高く、避難をするよう勧告するレベルである。命令レベルは、自然災害の程度が極めて高く、避難を命令するレベルである。各レベルには、その程度に応じて、レベル値が設定されている。自然災害の程度が高いほど、大きい値が設定される。例えば、情報提供レベルは、レベル１であり、警告レベルは、レベル２であり、勧告レベルは、レベル３であり、命令レベルは、レベル４である。
【０１９８】
テレビ受像機１００は、自然災害のレベルの閾値を記憶している。例えば、閾値は、「２」である。
【０１９９】
完全電源ＯＦＦモードにおいて、利用者により、ボタン操作部１１４が備える電源ボタンを用いて、電源ＯＮとされた場合には、電源部１１０は、テレビ受像機１００の全ての構成要素に対して電力を供給する。待機モードにおいて、利用者により、リモコン１１１が備える電源ボタンを用いて、電源ＯＮとされた場合には、既に電力が供給されている入力受信部１０８に加え、テレビ受像機１００の残りの全ての構成要素に対して、電力を供給する。
【０２００】
電源ＯＮとされた場合に、接続確認部１０９は、ネットワーク２０に対する接続を確認する。接続の確認と同時に、放送波受信部１０４、デコード部１０５、再生部１０６及び表示部１０７は、放送波の受信、復調、復号、再生、表示及び出力を行う。
【０２０１】
接続確認部１０９により、ネットワーク２０に対する接続が確認された場合には、放送波受信部１０４、デコード部１０５、再生部１０６及び表示部１０７は、放送波の受信、復調、復号、再生、表示及び出力を継続する。
【０２０２】
接続確認部１０９により、ネットワーク２０に対する接続が確認されなかった場合には、放送波受信部１０４は、放送波から放送ストリームを選択し、復調し、放送ストリームから自然災害情報を取得する。次に、接続確認部１０９は、取得した自然災害情報が一定の条件を満たすか否かを判断する。具体的には、自然災害情報に含まれるレベルが閾値より小さいか否かを判断する。
【０２０３】
例えば、取得した自然災害情報が、警告し、住民に緊急に避難することを勧告し又は命令する場合、つまり、自然災害情報に含まれるレベルが閾値「２」以上である場合、制御部１０１は、一定の条件を満たすと判断し、継続して、放送波の受信、再生、その他の動作を許可する。
【０２０４】
取得した自然災害情報が、警告でない場合、住民に緊急に避難することを勧告しない場合、及び、命令しない場合、つまり、自然災害情報に含まれるレベルが閾値「２」未満である場合、制御部１０１は、一定の条件を満たさないと判断し、電源部１１０は、テレビ受像機１００の全ての構成要素に対する電力の供給を停止する。
【０２０５】
また、例えば、地震や大雨などの自然災害などにより、サーバ装置２００やネットワーク２０がダウンしている可能性が予測される情報を取得した場合、制御部１０１は、条件を満たしていると判断としてもよい。
【０２０６】
次に、待機モードにおいて、利用者によるリモコン１１１の操作で電源をＯＮ状態とする場合のテレビ受像機１００の動作について、図１４に示すフローチャートを用いて説明する。
【０２０７】
入力受信部１０８は、リモコン１１１から「電源ＯＮ」を示す操作信号を受信する（ステップＳ１０１）。次に、電源部１１０は、テレビ受像機１００の全ての構成要素に対して、電力を供給する（ステップＳ１０２ａ）。
【０２０８】
電力が供給されると、接続確認部１０９は、テレビ受像機１００がネットワーク２０に接続されているか否かを確認する（ステップＳ１０３）。
【０２０９】
電力が供給されると、ステップＳ１０３の動作と同一の時間帯において、放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１１１ａ）。
【０２１０】
接続が確認できた場合（ステップＳ１０４で「ＹＥＳ」）、放送波受信部１０４は、継続して、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０２１１】
一方、接続が確認できなかった場合（ステップＳ１０４で「ＮＯ」）、放送波受信部１０４は、放送波から放送ストリームを選択し、復調し、放送ストリームから自然災害情報を取得する（ステップＳ１３１ａ）。
【０２１２】
制御部１０１は、取得した自然災害情報が一定の条件を満たすか否かを判断する（ステップＳ１３２ａ）。
【０２１３】
取得した自然災害情報が、一定の条件を満たす場合には（ステップＳ１３２ａで「ＹＥＳ」）、ステップＳ１０７へ制御を移す。
【０２１４】
取得した自然災害情報が、一定の条件を満たさない場合には（ステップＳ１３２ａで「ＮＯ」）、電源部１１０は、制御部１０１の無効化部１１５の制御により、テレビ受像機１００の全ての構成要素に対して、強制的に電力の供給を停止する。言い換えると、テレビ受像機１００を完全電源ＯＦＦモードとする（ステップＳ１０５ａ）。これにより、テレビ受像機１００の動作を終了する。
【０２１５】
３．７  変形例（７）
上記実施の形態の変形例（７）としてのテレビ受像機１００について説明する。
【０２１６】
上記実施の形態においては、ネットワーク２０に対する接続状態が確認されなかった場合、直ちに、テレビ受像機１００の電源を切断する。これに対して、変形例（７）では、例えば、許可情報を取得する。許可情報は、ネットワークに接続していない状態であっても、強制的に電源ＯＦＦを行わないことを許可する情報である。取得した許可情報が、電源オフの免除を示すか否かを判定する。電源オフの免除を示す場合には、放送波の受信、再生、その他の動作を許可する。電源オフの免除を示さない場合には、テレビ受像機１００の電源を切断する。この点において、変形例（７）は、上記実施の形態と相違している。
【０２１７】
以下において、上記実施の形態との相違点を中心として、説明する。
【０２１８】
記憶部１０２は、許可情報の生成者に割り当てられた公開鍵を記憶している。
【０２１９】
また、記憶部１０２は、図１５に一例として示すように、許可情報１８１を記憶している。許可情報１８１は、許可情報ＩＤ（１８２）、許可内容１８３、有効期限１８４及び署名データ１８５から構成されている。
【０２２０】
ここで、許可情報ＩＤ（１８２）は、当該許可情報を一意に識別する識別情報である。
【０２２１】
許可内容１８３は、当該許可情報により許可される内容を示す。一例として、許可内容１８３は、「電源オフの免除」である。
【０２２２】
有効期限１８４は、当該許可情報の有効期限を示す。
【０２２３】
署名データ１８５は、許可情報１８１の生成者に割り当てられた私有鍵１８６を用いて、署名対象データに、デジタル署名Ｓを施して生成されたものである。ここで、署名対象データは、許可情報ＩＤ（１８２）、許可内容１８３及び有効期限１８４をこの順序で結合した得られた結合体である。
【０２２４】
署名データ＝Ｓｉｇｎ（許可情報の生成者の私有鍵、許可情報ＩＤ｜｜許可内容｜｜有効期限）
ここで、Ｓ＝Ｓｉｇｎ（Ａ、Ｂ）は、私有鍵Ａを用いて、データＢに対して、デジタル署名Ｓｉｇｎを施して生成した署名データである。ここで、デジタル署名Ｓｉｇｎは、一例として、ＥＣＤＳＡ（Elliptic Curve Digital Signature Standard）によるデジタル署名アルゴリズムである。また、Ａ｜｜Ｂは、データＡとデータＢとをこの順序で結合して得られた結合体である。
【０２２５】
通信部１０３は、過去にテレビ受像機１００がネットワーク２０に接続されていたときに、サーバ装置２００又は他のサーバ装置から許可情報を取得し、取得した許可情報を記憶部１０２に書き込む。
【０２２６】
また、例えば、スマートフォンやＰＣなどの別の端末装置により、許可情報を取得してもよい。ＮＦＣ（Near Field Communication）やブルートゥースなどの無線技術を利用して、テレビ受像機１００は、許可情報を受信して保持するとしてもよい。例えば、サーバ装置やネットワークがダウンしている場合に、許可情報が発行され、又は許可情報を購入することができる。又は、一度、ネットワークに接続を行った際に、次回以降に利用できる許可情報をサーバ装置２００からダウンロードして蓄積しておいてもよい。
【０２２７】
制御部１０１は、記憶部１０２から許可情報を読み出す。次に、許可情報に含まれる許可内容が「電源オフの免除」であるか否かを判断する。
【０２２８】
許可内容が「電源オフの免除」でない場合、電源部１１０は、制御部１０１の制御により、入力受信部１０８、通信部１０３、接続確認部１０９、記憶部１０２及び制御部１０１に対して、強制的に電力の供給を停止する。
【０２２９】
制御部１０１は、記憶部１０２から、公開鍵を読み出す。次に、読み出した公開鍵を用いて、許可情報に含まれる許可情報ＩＤ、許可内容、有効期限及び署名データに対して、デジタル署名検証Ｖを行う。
【０２３０】
ここで、デジタル署名検証Ｖは、一例として、ＥＣＤＳＡ（Elliptic Curve Digital Signature Standard）によるデジタル署名検証アルゴリズムである。
【０２３１】
デジタル署名検証に失敗した場合、電源部１１０は、制御部１０１の制御により、入力受信部１０８、通信部１０３、接続確認部１０９、記憶部１０２及び制御部１０１に対して、強制的に電力の供給を停止する。
【０２３２】
制御部１０１は、現在日時を取得し、取得した現在日時が許可情報に含まれる有効期限内か否かを判断する。現在日時が有効期限外である場合、電源部１１０は、制御部１０１の制御により、入力受信部１０８、通信部１０３、接続確認部１０９、記憶部１０２及び制御部１０１に対して、強制的に電力の供給を停止する。
【０２３３】
許可内容が「電源オフの免除」であり、デジタル署名検証に成功し、かつ、現在日時が有効期限内である場合、制御部１０１は、放送波の受信、再生、その他の動作を許可する。
【０２３４】
次に、待機モードにおいて、利用者によるリモコン１１１の操作で電源をＯＮ状態とする場合のテレビ受像機１００の動作について、図１６に示すフローチャートを用いて説明する。
【０２３５】
入力受信部１０８は、リモコン１１１から「電源ＯＮ」を示す操作信号を受信する（ステップＳ１０１）。次に、電源部１１０は、制御部１０１、記憶部１０２、通信部１０３及び接続確認部１０９に対して、電力を供給する（ステップＳ１０２）。
【０２３６】
接続確認部１０９は、テレビ受像機１００がネットワーク２０に接続されているか否かを確認する（ステップＳ１０３）。
【０２３７】
接続が確認できた場合（ステップＳ１０４で「ＹＥＳ」）、電源部１１０は、制御部１０１の制御により、放送波受信部１０４、デコード部１０５、再生部１０６、表示部１０７及び更新部１１３に対して、電力を供給する（ステップＳ１０６）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０２３８】
一方、接続が確認できなかった場合（ステップＳ１０４で「ＮＯ」）、制御部１０１は、記憶部１０２から許可情報を読み出す（ステップＳ１４１）。次に、制御部１０１は、許可情報に含まれる許可内容が「電源オフの免除」であるか否かを判断する（ステップＳ１４２）。
【０２３９】
許可内容が「電源オフの免除」でない場合（ステップＳ１４２で「ＮＯ」）、電源部１１０は、制御部１０１の無効化部１１５の制御により、入力受信部１０８、通信部１０３、接続確認部１０９、記憶部１０２及び制御部１０１に対して、強制的に電力の供給を停止する。言い換えると、テレビ受像機１００を完全電源ＯＦＦモードとする（ステップＳ１０５）。これにより、テレビ受像機１００の動作を終了する。
【０２４０】
制御部１０１は、読み出した公開鍵を用いて、許可情報に含まれる許可情報ＩＤ、許可内容、有効期限及び署名データに対して、デジタル署名検証Ｖを行う（ステップＳ１４３）。
【０２４１】
デジタル署名検証に失敗した場合（ステップＳ１４３で「失敗」）、ステップＳ１０５へ制御を移し、強制的に電力の供給を停止する。
【０２４２】
制御部１０１は、現在日時を取得し、取得した現在日時が許可情報に含まれる有効期限内か否かを判断する（ステップＳ１４４）。現在日時が有効期限外である場合（ステップＳ１４４で「外」）、ステップＳ１０５へ制御を移し、強制的に電力の供給を停止する。
【０２４３】
許可内容が「電源オフの免除」であり（ステップＳ１４２で「ＹＥＳ」）、デジタル署名検証に成功し（ステップＳ１４３で「成功」）、かつ、現在日時が有効期限内である場合（ステップＳ１４４で「内」）、ステップＳ１０６へ制御を移す。
【０２４４】
３．８  変形例（８）
上記実施の形態の変形例（８）としてのテレビ受像機１００について説明する。
【０２４５】
上記実施の形態においては、ネットワーク２０に対する接続状態が確認されなかった場合、直ちに、テレビ受像機１００の電源を切断する。これに対して、変形例（８）では、例えば、許可情報を取得する。許可情報は、ネットワーク接続していない状態であっても、強制的に電源ＯＦＦを行わないことを許可する情報である。取得した許可情報が、電源オフの免除を示すか否かを判定する。電源オフの免除を示す場合には、放送波の受信、再生、その他の動作を許可する。電源オフの免除を示さない場合には、テレビ受像機１００の電源を切断する。この点において、変形例（８）は、上記実施の形態と相違する。
【０２４６】
また、変形例（８）の許可情報は、更新プログラムを含んでいる。更新プログラムは、テレビ受像機１００の有する制御プログラムを置き換えるためのプログラムである。許可情報は、テレビ受像機１００に対して、テレビ受像機１００の有する制御プログラムの更新を強制する。この点において、変形例（８）は、変形例（７）と相違している。
【０２４７】
ここでは、変形例（７）との相違点を中心として説明する。
【０２４８】
記憶部１０２は、許可情報の生成者に割り当てられた公開鍵を記憶している。
【０２４９】
また、記憶部１０２は、図１７に一例として示すように、許可情報１９１を記憶している。許可情報１９１は、許可情報ＩＤ（１９２）、許可内容１９３、有効期限１９４、更新プログラム１９５及び署名データ１９６から構成されている。
【０２５０】
ここで、許可情報ＩＤ（１９２）は、当該許可情報を一意に識別する識別情報である。
【０２５１】
許可内容１９３は、当該許可情報により許可される内容を示す。一例として、許可内容１９３は、「更新後、電源オフの免除」である。
【０２５２】
有効期限１９４は、当該許可情報の有効期限を示す。
【０２５３】
更新プログラム１９５は、テレビ受像機１００の有する制御プログラムを更新するためのプログラムである。
【０２５４】
署名データ１９６は、許可情報１９１の生成者に割り当てられた私有鍵１９７を用いて、署名対象データに、デジタル署名Ｓを施して生成されたものである。ここで、署名対象データは、許可情報ＩＤ（１９２）、許可内容１９３、有効期限１９４及び更新プログラム１９５をこの順序で結合した得られた結合体である。
【０２５５】
署名データ＝Ｓｉｇｎ（許可情報の生成者の私有鍵、許可情報ＩＤ｜｜許可内容｜｜有効期限｜｜更新プログラム）
許可内容が「更新後、電源オフの免除」であり、デジタル署名検証に成功し、かつ、現在日時が有効期限内である場合、制御部１０１は、更新プログラムを用いて、制御プログラムを更新するか否かを利用者に問うための画面を生成し、再生部１０６を介して、表示部１０７に表示させる。
【０２５６】
制御部１０１が、リモコン１１１の操作により、入力受信部１０８を介して、制御プログラムを更新しない旨の指示を受け取った場合、電源部１１０は、制御部１０１の制御により、入力受信部１０８、通信部１０３、接続確認部１０９、記憶部１０２及び制御部１０１に対して、強制的に電力の供給を停止する。言い換えると、テレビ受像機１００を完全電源ＯＦＦモードとする。
【０２５７】
制御部１０１が、リモコン１１１の操作により、入力受信部１０８を介して、制御プログラムを更新する旨の指示を受け取った場合、制御部１０１は、許可情報１９１に含まれている更新プログラム１９５を用いて、記憶部１０２に記憶されている制御プログラムを置き換えることにより、更新する。次に、制御プログラムの更新が終了すると、制御部１０１は、放送波の受信及び再生、その他の動作を許可する。
【０２５８】
次に、待機モードにおいて、利用者によるリモコン１１１の操作で電源をＯＮ状態とする場合のテレビ受像機１００の動作について、図１８に示すフローチャートを用いて説明する。
【０２５９】
入力受信部１０８は、リモコン１１１から「電源ＯＮ」を示す操作信号を受信する（ステップＳ１０１）。次に、電源部１１０は、制御部１０１、記憶部１０２、通信部１０３及び接続確認部１０９に対して、電力を供給する（ステップＳ１０２）。
【０２６０】
接続確認部１０９は、テレビ受像機１００がネットワーク２０に接続されているか否かを確認する（ステップＳ１０３）。
【０２６１】
接続が確認できた場合（ステップＳ１０４で「ＹＥＳ」）、電源部１１０は、制御部１０１の制御により、放送波受信部１０４、デコード部１０５、再生部１０６、表示部１０７及び更新部１１３に対して、電力を供給する（ステップＳ１０６）。放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１０７）。
【０２６２】
一方、接続が確認できなかった場合（ステップＳ１０４で「ＮＯ」）、制御部１０１は、記憶部１０２から許可情報を読み出す（ステップＳ１４１）。次に、制御部１０１は、許可情報に含まれる許可内容が「更新後、電源オフの免除」であるか否かを判断する（ステップＳ１４２）。
【０２６３】
許可内容が「更新後、電源オフの免除」でない場合（ステップＳ１４２で「ＮＯ」）、電源部１１０は、制御部１０１の無効化部１１５の制御により、入力受信部１０８、通信部１０３、接続確認部１０９、記憶部１０２及び制御部１０１に対して、強制的に電力の供給を停止する。言い換えると、テレビ受像機１００を完全電源ＯＦＦモードとする（ステップＳ１０５）。これにより、テレビ受像機１００の動作を終了する。
【０２６４】
制御部１０１は、読み出した公開鍵を用いて、許可情報に含まれる許可情報ＩＤ、許可内容、有効期限、更新プログラム及び署名データに対して、デジタル署名検証Ｖを行う（ステップＳ１４３）。
【０２６５】
デジタル署名検証に失敗した場合（ステップＳ１４３で「失敗」）、ステップＳ１０５へ制御を移し、強制的に電力の供給を停止する。
【０２６６】
制御部１０１は、現在日時を取得し、取得した現在日時が許可情報に含まれる有効期限内か否かを判断する（ステップＳ１４４）。現在日時が有効期限外である場合（ステップＳ１４４で「外」）、ステップＳ１０５へ制御を移し、強制的に電力の供給を停止する。
【０２６７】
許可内容が「更新後、電源オフの免除」であり（ステップＳ１４２で「ＹＥＳ」）、デジタル署名検証に成功し（ステップＳ１４３で「成功」）、かつ、現在日時が有効期限内である場合（ステップＳ１４４で「内」）、制御部１０１は、利用者に制御プログラムを更新するか否かを尋ねる（ステップＳ１４５）。利用者から更新しない旨の指示を受け取った場合（ステップＳ１４５で「ＮＯ」）、ステップＳ１０５へ制御を移し、強制的に電力の供給を停止する。
【０２６８】
利用者から更新する旨の指示を受け取った場合（ステップＳ１４５で「ＹＥＳ」）、制御部１０１は、更新プログラムにより、記憶部１０２に記憶されている制御プログラムを更新する（ステップＳ１４６）。次に、ステップＳ１０６へ制御を移す。
【０２６９】
３．９  その他の変形例
（１）上記の変形例（２）において、テレビ受像機１００は、その出荷時に、予め特殊映像を記憶している。また、上記の変形例（３）及び（４）において、テレビ受像機１００は、その出荷時に、予め警告文を記憶している。
【０２７０】
しかし、このような構成には限定されない。以下に示すように、特殊映像及び警告文は、テレビ受像機１００の出荷後に、テレビ受像機１００に記憶されるとしてもよい。また、テレビ受像機１００に記憶されている特殊映像及び警告文は、テレビ受像機１００の出荷後に、更新されるとしてもよい。
【０２７１】
サーバ装置２００は、特殊映像及び警告文を記憶しているとしてもよい。テレビ受像機１００は、ネットワーク２０を介して、サーバ装置２００に接続し、サーバ装置２００から特殊映像及び警告文を取得し、取得した特殊映像及び警告文を記憶する。また、取得した特殊映像及び警告文により、既に記憶している特殊映像及び警告文を更新してもよい。
【０２７２】
また、番組放送装置は、特殊映像及び警告文を記憶しているとしてもよい。番組放送装置は、放送波に乗せて、特殊映像及び警告文を放送する。テレビ受像機１００は、放送波を受信し、受信した放送波から特殊映像及び警告文を抽出し、抽出した特殊映像及び警告文を記憶する。また、抽出した特殊映像及び警告文により、既に記憶している特殊映像及び警告文を更新してもよい。
【０２７３】
（２）上記の変形例（１）において、電源ＯＮ信号を受信し、テレビ受像機１００の全ての構成要素に電力が供給された後、テレビ受像機１００がネットワークに接続されているか否かの確認をするまでの時間帯において、放送波を受信し、再生するとしている。
【０２７４】
この場合、ネットワークへの接続が確認されるまでの暫定的な表示として、画像の輝度や解像度を下げて表示してもよい。また、音声をモノラルで出力してもよい。このように、ネットワークへの接続が確認されるまで、放送波受信部１０４により受信したオリジナルの放送番組に比べて、画像や音声の品質を落とし、低画質の画像を表示し、又は低音質の音声を出力してもよい。
【０２７５】
（３）上記の変形例（３）においては、図８に示す警告文１４１を表示している。しかし、このような構成には、限定されない。次に示すようにしてもよい。
【０２７６】
変形例（１）に示すように、電源ＯＮ信号を受信し、テレビ受像機１００の全ての構成要素に電力が供給された後、テレビ受像機１００がネットワークに接続されているか否かの確認をするまでの間、放送波を受信し、再生する。次に、ネットワークに接続されているか否かを確認し、ネットワークに接続されていない場合に、再生中の画面に重畳させて、言い換えると、オーバーレイさせて、警告文を表示してもよい。このとき、画面上において、警告文を移動させながら表示してもよい。
【０２７７】
また、ネットワークに接続されていない場合に、再生中の画像のサイズを縮小し、縮小された画像を表示し、画面において、空いたスペースに警告文を表示してもよい。
【０２７８】
（４）上記実施の形態及び各変形例では、テレビ受像機１００を例として説明しているが、テレビ受像機に限定されるものではない。ネットワーク接続機能を備える全ての家電機器（家庭で使用される電子機器や機械）に適用されるとしてもよい。
【０２７９】
例えば、コンテンツの再生機及び録画機、ビデオカメラなどの映像機器、音響機器に適用してもよい。また、炊飯器、冷蔵庫、洗濯機、電子レンジ、エアコンなどの生活家電に適用してもよい。さらに、パソコン、ＦＡＸ、携帯電話、スマートフォン、タブレットなどの情報家電に適用してもよい。
【０２８０】
（５）上記実施の形態及び各変形例では、テレビ受像機１００がネットワークに接続されていない場合、ネットワークに接続されておらず、一定の条件が満たされていない場合、又は、ネットワークに接続されておらず、許可がされていない場合に、テレビ受像機１００に対して電力の供給を停止している。
【０２８１】
しかし、このような方法には、限定されない。
【０２８２】
テレビ受像機１００がネットワークに接続されていない場合、ネットワークに接続されておらず、一定の条件が満たされていない場合、又は、ネットワークに接続されておらず、許可がされていない場合に、テレビ受像機１００は、テレビ受像機１００の一部機能のみを有効化し、残る機能を無効化する無効化部を備えるとしてもよい。
【０２８３】
例えば、テレビ受像機１００は、ネットワークに接続されていない場合、ネットワークに接続されておらず、一定の条件が満たされていない場合、又は、ネットワークに接続されておらず、許可がされていない場合に、放送番組の視聴を許可するが、ＨＤＤレコーダなどに蓄積された番組を見るため、外部入力端子からの映像を表示する機能を無効化してもよい。
【０２８４】
ここで、待機モードにおいて、利用者によるリモコン１１１の操作でテレビ受像機１００の電源をＯＮ状態とする場合のテレビ受像機１００の動作について、図１９に示すフローチャートを用いて説明する。
【０２８５】
図１９において、ステップＳ１０１、Ｓ１０２ａ、Ｓ１１１、Ｓ１０３、Ｓ１０４、Ｓ１０７は、図６のステップＳ１０１、Ｓ１０２ａ、Ｓ１１１、Ｓ１０３、Ｓ１０４、Ｓ１０７と同一である。
【０２８６】
図１９においては、図６のステップＳ１０５ａに代えて、制御部１０１は、入力受信部１０８から、テレビ受像機１００における入力切替のための操作信号を受け取った場合、操作信号が、アンテナ１１２からの番組の受信への切替えを示すか、又は、外部入力端子からの番組の入力への切替えを示すかを判断する（ステップＳ１５１）。入力切替は、表示部１０７により表示される番組を、アンテナ１１２から受信するか、又は、外部入力端子から入力するかを切り換えるための操作である。
【０２８７】
操作信号がアンテナ１１２から受信した番組の表示への切替えを示す場合（ステップＳ１５１で「放送番組」）、放送波受信部１０４は、放送波から放送ストリームを選択し、復調する。デコード部１０５は、放送ストリームを分離して、映像ストリームと音声ストリームを生成する。次に、映像ストリームと音声ストリームを復号して、それぞれ、デジタルの映像信号及びデジタルの音声信号を生成する。再生部１０６は、アナログの映像信号及びアナログの音声信号を生成する。表示部１０７は、放送番組の映像を表示し、放送番組の音声を出力する（ステップＳ１５２）。
【０２８８】
操作信号が外部入力端子から入力した番組の表示への切替えを示す場合（ステップＳ１５１で「外部入力」）、制御部１０１の無効化部１１５は、当該操作信号を破棄し、ステップＳ１５１に戻って処理を繰り返す。これにより、無効化部１１５は、外部入力端子からの番組の表示機能を無効化する。
【０２８９】
また、ＨＤＤレコーダにおいて、ネットワークに接続されていない場合、ネットワークに接続されておらず、一定の条件が満たされていない場合、又は、ネットワークに接続されておらず、許可がされていない場合に、ＨＤＤレコーダが備える制御部は、録画番組の再生を許可するが、番組の録画を許可しないとしてもよい。言い換えると、制御部に含まれる無効化部が番組の録画機能を無効化する。
【０２９０】
また、電子レンジにおいて、ネットワークに接続されていない場合、ネットワークに接続されておらず、一定の条件が満たされていない場合、又は、ネットワークに接続されておらず、許可がされていない場合に、電子レンジが備える制御部は、あたため機能の動作を許可するが、複雑な調理機能の動作を許可しないとしてもよい。言い換えると、制御部に含まれる無効化部が複雑な調理機能を無効化する。
【０２９１】
また、エアコンにおいて、ネットワークに接続されていない場合、ネットワークに接続されておらず、一定の条件が満たされていない場合、又は、ネットワークに接続されておらず、許可がされていない場合に、エアコンが備える制御部は、冷房と暖房との間の運転切り替えや温度設定機能の動作を許可するが、タイマー機能や省エネ機能の動作を許可しないとしてもよい。言い換えると、制御部に含まれる無効化部がタイマー機能や省エネ機能を無効化する。
【０２９２】
（６）上記実施の形態及び各変形例では、１台の装置が複数の機能（構成要素）を有するとしているが、これには、限定されない。複数の機能（構成要素）が複数の装置に分かれ、複数の装置がそれぞれ機能（構成要素）を有し、複数の装置の組合せにより、同様の効果や機能が実現されるとしてもよい。
【０２９３】
（７）次のように構成してもよい。
【０２９４】
本発明の一態様は、ネットワークに接続する機能を有するネットワーク接続端末である。前記ネットワーク接続端末は、利用者の操作指示を受け付ける受付手段と、ネットワークに接続してデータの送受信を行う接続手段と、前記接続手段がネットワーク接続しているか否かの接続状態を確認する接続確認手段と、前記ネットワーク接続端末を強制的に電源オフする切断手段を備える。前記受付手段が電源オンの操作を受け付け、前記接続確認手段が、前記接続手段の接続状態を確認し、接続されていないことが確認された場合に、前記切断手段が強制的に電源オフする。
【０２９５】
ここで、前記ネットワーク接続端末は、放送を受信する放送受信手段と、前記受信した放送を表示する表示手段を備えるとしてもよい。前記接続確認手段が接続状態を確認するまでは、前記放送受信手段で受信した放送を前記表示手段で表示する。
【０２９６】
ここで、前記ネットワーク接続端末は、映像を蓄積する映像蓄積手段と、前記蓄積した映像を表示する表示手段を備えるとしてもよい。前記接続確認手段が、前記接続手段の接続状態を確認し、接続されていないことが確認された場合に、前記電源切断手段が強制的に電源オフする前に、前記映像蓄積手段に蓄積する映像を、前記表示手段で表示し、その後、前記切断手段が強制的に電源オフする。
【０２９７】
ここで、前記ネットワーク接続端末は、放送を受信する放送受信手段を備えるとしてもよい。前記接続確認手段が、前記接続手段の接続状態を確認し、接続されていないことが確認された場合に、前記映像蓄積手段に蓄積する映像を、前記表示手段で表示し、その後、前記切断手段が強制的に電源オフする代わりに、前記放送受信手段で受信した放送を前記表示端末で表示する。
【０２９８】
ここで、前記ネットワーク接続端末は、メッセージを保持するメッセージ保持手段と、前記保持しているメッセージを表示する表示手段を備えるとしてもよい。前記接続確認手段が、前記接続手段の接続状態を確認し、接続されていないことが確認された場合に、前記電源切断手段が強制的に電源オフする前に、前記メッセージ保持手段に保持するメッセージを、前記表示手段で表示し、その後、前記切断手段が強制的に電源オフする。
【０２９９】
ここで、前記ネットワーク接続端末は、放送を受信する放送受信手段を備えるとしてもよい。前記接続確認手段が、前記接続手段の接続状態を確認し、接続されていないことが確認された場合に、前記メッセージ保持手段に保持するメッセージを、前記表示手段で表示し、その後、前記切断手段が強制的に電源オフする代わりに、前記放送受信手段で受信した放送を前記表示端末で表示する。
【０３００】
ここで、前記ネットワーク接続端末は、過去のネットワーク接続履歴を保持する履歴保持手段と、電源オフするか否かを判断する判断手段を備えるとしてもよい。前記判断手段は、前記履歴保持手段で保持する履歴が、予め定められた条件を満たしているか否かを判断し、満たしていないと判断した場合に、前記切断手段が強制的に電源オフする。
【０３０１】
ここで、前記ネットワーク接続端末は、許可情報を保持する許可情報保持手段と、前記許可情報を確認する許可情報確認手段を備えるとしてもよい。前記許可情報確認手段は、前記許可情報が存在しない、又は正しくないことを確認した場合に、前記切断手段が強制的に電源オフする。
【０３０２】
ここで、前記ネットワーク接続端末は、前記許可情報を受信する許可情報受信手段を備えるとしてもよい。前記許可情報受信手段は、前記許可情報を別の端末装置から無線通信を利用して受信し保持する。
【０３０３】
ここで、前記ネットワーク接続端末は、放送波や他の媒体から情報を取得して保持する情報保持手段と、電源オフするか否かを判断する判断手段を備えるとしてもよい。前記判断手段は、前記情報保持手段で保持する情報が、予め定められた条件に合致するか否かを判断し、合致していないと判断した場合に、前記切断手段が強制的に電源オフする。
【０３０４】
ここで、前記ネットワーク接続端末は、前記接続確認手段が、前記接続手段の接続状態を確認し、接続されていないことが確認された場合に、前記切断手段が強制的に電源オフする代わりに、前記ネットワーク接続端末の一部の機能のみを有効化して電源オン状態を維持するとしてもよい。
【０３０５】
ここで、前記ネットワーク接続端末は、ネットワークへの接続状態を保持する状態保持手段を備えるとしてもよい。前記接続確認手段は、定期的に接続状態を確認し、確認した結果を前記状態保持手段で保持し、前記受付手段が電源オンの操作を受け付けた時、前記接続確認手段が、前記状態保持手段が保持している最新の接続状態に基づき、ネットワークに接続されているか否かを判断する。
【０３０６】
（８）上記の各装置を構成する構成要素の一部又は全部は、各装置に脱着可能なＩＣカード又は単体のモジュールから構成されているとしてもよい。前記ＩＣカード又は前記モジュールは、マイクロプロセッサ、ＲＯＭ、ＲＡＭなどから構成されるコンピュータシステムである。前記ＩＣカード又は前記モジュールは、超多機能ＬＳＩを含むとしてもよい。マイクロプロセッサが、コンピュータプログラムに従って動作することにより、前記ＩＣカード又は前記モジュールは、その機能を達成する。前記ＩＣカード又は前記モジュールは、耐タンパ性を有するとしてもよい。
【０３０７】
（９）各装置は、マイクロプロセッサとメモリを備えたコンピュータシステムであるとしてもよい。前記メモリは、上記コンピュータプログラムを記憶しており、前記マイクロプロセッサは、前記コンピュータプログラムに従って動作する。
【０３０８】
ここで、コンピュータプログラムは、所定の機能を達成するために、コンピュータに対する指令を示す命令コードが複数個組み合わされて構成されたものである。前記マイクロプロセッサは、前記コンピュータプログラムに含まれる各命令を１個ずつ読み出し、読み出した命令を解読し、解読結果に従って動作する。
【０３０９】
また、前記コンピュータプログラムは、コンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ブルーレィディスク、半導体メモリなどに記録されているとしてもよい。
【０３１０】
また、前記コンピュータプログラムは、電気通信回線、無線又は有線通信回線、インターネットを代表とするネットワーク、データ放送等を経由して伝送されるとしてもよい。
【０３１１】
また、前記プログラムを前記記録媒体に記録して移送することにより、又は前記プログラムを前記ネットワーク等を経由して移送することにより、独立した他のコンピュータシステムにより実行するとしてもよい
（１０）上記実施の形態及び上記変形例をそれぞれ組み合わせるとしてもよい。
【産業上の利用可能性】
【０３１２】
本発明にかかる端末装置は、利用者にネットワーク接続を強制することできるという効果を奏し、ネットワーク接続機能を備えているが、ネットワーク接続されていない端末装置に対して、ネットワーク接続を強制する技術として有用である。
【符号の説明】
【０３１３】
１０    コンテンツ送受信システム
２０    ネットワーク
１００    テレビ受像機
１０１    制御部
１０２    記憶部
１０３    通信部
１０４    放送波受信部
１０５    デコード部
１０６    再生部
１０７    表示部
１０８    入力受信部
１０９    接続確認部
１１０    電源部
１１１    リモコン
１１２    アンテナ
１１３    更新部
１１４    ボタン操作部
２００    サーバ装置
２０１    制御部
２０２    記憶部
２０３    通信部
【図１】
2014038170.tif 000003
【図２】
2014038170.tif 000004
【図３】
2014038170.tif 000005
【図４】
2014038170.tif 000006
【図５】
2014038170.tif 000007
【図６】
2014038170.tif 000008
【図７】
2014038170.tif 000009
【図８】
2014038170.tif 000010
【図９】
2014038170.tif 000011
【図１０】
2014038170.tif 000012
【図１１】
2014038170.tif 000013
【図１２】
2014038170.tif 000014
【図１３】
2014038170.tif 000015
【図１４】
2014038170.tif 000016
【図１５】
2014038170.tif 000017
【図１６】
2014038170.tif 000018
【図１７】
2014038170.tif 000019
【図１８】
2014038170.tif 000020
【図１９】
2014038170.tif 000021
【図２０】
2014038170.tif 000022
【図２１】
2014038170.tif 000023
【国際調査報告】
2014038170.tif 000024
2014038170.tif 000025